(57)【特許請求の範囲】
【請求項１】
２つの信号を合成する方法であって、
前記２つの信号を変調することと、
前記２つの信号に利得を乗算することと、
前記２つの信号を位相シフトすることと、
前記２つの信号を互いに加算することと、
前記加算された信号を送信することと、ここにおいて、前記２つの信号の第１の信号は前記２つの信号の第２の信号よりも高い振幅で送信され、前記第１の信号は非ＤＡＲＰ（ダウンリンク高度受信機パフォーマンス）対応遠隔局へのものであり、前記第２の信号はＤＡＲＰ対応遠隔局へのものであり、前記第１の信号のより高い振幅により前記非ＤＡＲＰ遠隔局が前記第２の信号を干渉として処理することを可能にする、
を備える、方法。
【請求項２】
前記２つの信号のうちの第１の信号に乗算すべき前記利得は、所定の角度（α）に関する余弦値すなわちＡ１であり、前記２つの信号のうちの第２の信号に乗算すべき前記利得は、所定の角度（α）に関する正弦値すなわちＡ２であることを特徴とする請求項１に記載の方法。
【請求項３】
前記位相シフトすることが、前記２つの信号のうちの１つを、前記２つの信号の同相および直交位相ごとにπ／２だけ位相シフトすることを備える、請求項１に記載の方法。
【請求項４】
前記２つの信号を同相軸および直交位相軸にマッピングすることと、
前記２つの信号をフィルタ処理することと
をさらに備える、請求項１に記載の方法。
【請求項５】
前記第１の信号と第２の信号の振幅比のデシベル表現は、２０＊ｌｏｇ１０（Ａ2／Ａ1）であり、デシベルで表される前記比が８〜１０ｄＢの間である、請求項２に記載の方法。
【請求項６】
２つの信号がＱＰＳＫコンスタレーションの同相軸および直交位相軸にマッピングされ、あらゆるシンボルに対するπ／２の漸進的な位相回転が行われる、請求項４に記載の方法。
【請求項７】
前記２つの信号のうちの第１の信号に乗算すべき前記利得は、所定の角度（α）に関する余弦値すなわちＡ１であり、前記２つの信号のうちの第２の信号に乗算すべき前記利得は、所定の角度（α）に関する正弦値すなわちＡ２であり、Ａ1が、αのコサインに等しい同相信号の振幅であり、αはそのタンジェントが前記第１の信号および前記第２の信号の前記振幅比である角度であり、Ａ2が、αのサインに等しい直交位相信号の振幅である、請求項４に記載の方法。
【請求項８】
新しい接続をセットアップすることと、
既存の接続と共有すべき前記新しい接続のためのチャネル周波数上の使用済みのタイムスロットを選択することと、
前記既存の接続のトレーニング系列とは異なる、前記新しい接続のためのトレーニング系列を選択することと、
１つの基地局によって同じチャネル周波数上の同じタイムスロットで前記トレーニング系列と前記トレーニング系列の両方を使用することと
を備える、シングルチャネル上で信号を共有することをさらに備える、請求項４に記載の方法。
【請求項９】
第１のデータおよび第２のデータを発生することと、
第１のトレーニング系列および第２のトレーニング系列を発生することと、
第１の合成データを生成するために前記第１のトレーニング系列を前記第１のデータと合成することと、第２の合成データを生成するために前記第２のトレーニング系列を前記第２のデータと合成することと、
第１の送信信号および第２の送信信号を生成するために、同じチャネル周波数および同じタイムスロットを使用して、前記第１の合成データと前記第２のデータ合成データの両方を変調し、送信することと、
１つの基地局によって同じチャネル周波数上の同じタイムスロットで前記トレーニング系列と前記トレーニング系列の両方を使用することと
を備える、チャネルを共有する第１の信号および第２の信号を生成することをさらに備える、請求項４に記載の方法。
【請求項１０】
前記加算された信号をフィルタ処理する前記ステップが、ＧＳＭ（登録商標）スペクトルマスク基準を満たすために、ＥＧＰＲＳ  ８ＰＳＫ変調のために使用される線形ガウスフィルタを用いて、前記加算された信号をフィルタ処理することを備える、請求項７に記載の方法。
【請求項１１】
２つの信号を合成するための装置であって、
少なくとも１つの入力と少なくとも１つの出力とを有し、それにより前記２つの信号が変調される、少なくとも１つのベースバンド変調器と、
入力と少なくとも１つの出力とを有する少なくとも１つの増幅器であって、前記少なくとも１つの入力が、前記少なくとも１つのベースバンド変調器の前記少なくとも１つの出力の前記出力に動作可能に接続され、それにより前記２つの信号が利得を乗算される、少なくとも１つの増幅器と、
少なくとも１つの入力と少なくとも１つの出力とを有する少なくとも１つのコンバイナであって、前記少なくとも１つの入力が、前記少なくとも１つの増幅器の前記少なくとも１つの出力に動作可能に接続され、それにより前記２つの信号が合成される、少なくとも１つのコンバイナと、
を備え、
前記２つの信号の第１の信号は前記２つの信号の第２の信号よりも高い振幅で送信され、前記第１の信号は非ＤＡＲＰ（ダウンリンク高度受信機パフォーマンス）対応遠隔局へのものであり、前記第２の信号はＤＡＲＰ対応遠隔局へのものであり、前記第１の信号のより高い振幅により前記非ＤＡＲＰ遠隔局が前記第２の信号を干渉として処理することを可能にする、
装置。
【請求項１２】
少なくとも１つの入力と少なくとも１つの出力とを有するＲＦ変調器／電力増幅器であって、前記少なくとも１つの入力が、前記コンバイナの前記少なくとも１つの出力に動作可能に接続され、それにより前記２つの信号が送信される、ＲＦ変調器／電力増幅器をさらに備える、請求項１１に記載の、２つの信号を合成するための装置。
【請求項１３】
前記コンバイナの前記少なくとも１つの出力に動作可能に接続されたＲＦ変調器と電力増幅器との直列接続であって、それにより前記２つの信号が送信される、直列接続をさらに備える、請求項１１に記載の、２つの信号を合成するための装置。
【請求項１４】
前記少なくとも１つの増幅器と前記少なくとも１つのベースバンド変調器との間に動作可能に接続された位相シフタをさらに備える、請求項１１に記載の、２つの信号を合成するための装置。
【請求項１５】
前記少なくとも１つの増幅器と前記少なくとも１つのコンバイナとの間に動作可能に接続された位相シフタをさらに備え、前記少なくとも１つのコンバイナは前記少なくとも１つの増幅器と前記同相シフタとの間に動作可能に接続される、請求項１１に記載の、２つの信号を合成するための装置。
【請求項１６】
少なくとも１つの入力と少なくとも１つの出力とを有する前記少なくとも１つのベースバンド変調器が、ＧＭＳＫベースバンド変調器である、請求項１１に記載の、２つの信号を合成するための装置。
【請求項１７】
少なくとも１つの入力と少なくとも１つの出力とを有する前記少なくとも１つのベースバンド変調器が、同相軸上のＢＰＳＫベースバンド変調器と、直交軸上のＢＰＳＫベースバンド変調器とを備える、請求項１１に記載の、２つの信号を合成するための装置。
【請求項１８】
位相シフタが、あらゆるシンボルに対するπ／２の漸進的な位相回転を用いて、前記２つの信号のうちの１つを前記２つの信号のうちの別の１つに対して位相シフトする、請求項１１に記載の、２つの信号を合成するための装置。
【請求項１９】
前記少なくとも１つのベースバンド変調器が、
差分符号器と、
前記差分符号器に動作可能に接続された積分器と、
前記積分器に動作可能に接続されたガウス低域フィルタと
を備える、請求項１１に記載の、２つの信号を合成するための装置。
【請求項２０】
前記少なくとも１つの増幅器が、
前記ベースバンド変調器が出力する位相の余弦値に利得Ａ１を乗算する第１の増幅器と、ここにおいて、前記利得Ａ１はある所定の角度αの余弦値であり、
前記ベースバンド変調器が出力する位相の正弦値に前記利得Ａ１を乗算する第２の増幅器と、
前記ベースバンド変調器が出力する位相にπ／２を加算した値の余弦値に利得Ａ２を乗算する第３の増幅器と、ここにおいて前記利得Ａ２はある所定の角度αの正弦値であり、
前記ベースバンド変調器が出力する位相にπ／２を加算した値の正弦値に前記利得Ａ２を乗算する第４の増幅器とを備える、請求項１１に記載の、２つの信号を合成するための装置。
【請求項２１】
前記コンバイナとＲＦ変調器／電力増幅器との間に動作可能に接続されたフィルタと、
前記少なくとも１つのベースバンド変調器に動作可能に接続された位相シフタと
をさらに備える、請求項１１に記載の、２つの信号を合成するための装置。
【請求項２２】
前記少なくとも１つの増幅器が、
前記ベースバンド変調器が出力する位相の余弦値に利得Ａ１を乗算する第１の増幅器と、ここにおいて、前記利得Ａ１はある所定の角度αの余弦値であり、
前記ベースバンド変調器が出力する位相の正弦値に前記利得Ａ１を乗算する第２の増幅器と、
前記ベースバンド変調器が出力する位相にπ／２を加算した値の余弦値に利得Ａ２を乗算する第３の増幅器と、ここにおいて前記利得Ａ２はある所定の角度αの正弦値であり、
前記ベースバンド変調器が出力する位相にπ／２を加算した値の正弦値に前記利得Ａ２を乗算する第４の増幅器とを備える、請求項１９に記載の、２つの信号を合成するための装置。
【請求項２３】
少なくとも１つの入力と少なくとも１つの出力とを有する前記少なくとも１つのベースバンド変調器が、同相軸上のＢＰＳＫベースバンド変調器と、直交軸上のＢＰＳＫベースバンド変調器とを備える、請求項２２に記載の、２つの信号を合成するための装置。
【請求項２４】
前記フィルタが線形ガウスフィルタである、請求項２２に記載の、２つの信号を合成するための装置。
【請求項２５】
前記フィルタが線形ガウスフィルタである、請求項２３に記載の、２つの信号を合成するための装置。
【請求項２６】
発振器と、前記発振器に動作可能に接続され、入力と、位相シフトによって分離された第１および第２の出力とを有するスプリッタと、各々が少なくとも１つの入力と少なくとも１つの出力とを有する複数の乗算器とを備える、少なくとも１つのＲＦ変調器をさらに備え、前記第１の乗算器の前記少なくとも１つの入力が、第１の増幅器の出力に動作可能に接続され、第２の乗算器の前記少なくとも１つの入力が、前記第２の増幅器の出力に動作可能に接続され、第３の乗算器の前記少なくとも１つの入力が、前記第３の増幅器の出力に動作可能に接続され、第４の乗算器の前記少なくとも１つの入力が、前記第３の増幅器の出力に動作可能に接続された、請求項２５に記載の、２つの信号を合成するための装置。
【請求項２７】
発振器と、前記発振器に動作可能に接続され、入力と、位相シフトによって分離された第１および第２の出力とを有するスプリッタと、各々が少なくとも１つの入力と少なくとも１つの出力とを有する複数の乗算器とを備える、少なくとも１つのＲＦ変調器をさらに備え、
第１の前記乗算器が、前記第１の増幅器に動作可能に接続された前記少なくとも１つの入力と、前記スプリッタの−π／２位相シフトされた出力とを有し、第１のコンバイナの１つの入力に動作可能に接続された前記少なくとも１つの出力を有し、
第２の前記乗算器が、前記第２の増幅器に動作可能に接続された前記少なくとも１つの入力と、前記スプリッタの０度位相シフトされた出力とを有し、前記第１のコンバイナの別の入力に動作可能に接続された前記少なくとも１つの出力を有し、
第３の前記乗算器が、前記第３の増幅器に動作可能に接続された前記少なくとも１つの入力と、前記スプリッタの前記−π／２位相シフトされた出力とを有し、第２の前記コンバイナの１つの入力に動作可能に接続された前記少なくとも１つの出力を有し、
第４の前記乗算器が、前記第４の増幅器に動作可能に接続された前記少なくとも１つの入力と、前記スプリッタの前記０度位相シフトされた出力とを有し、前記第２のコンバイナの前記別の入力に動作可能に接続された前記少なくとも１つの出力を有し、
第３のコンバイナが、少なくとも１つの入力と少なくとも１つの出力とを有し、前記少なくとも１つの入力が、前記第１のコンバイナと前記第２のコンバイナとの前記出力に動作可能に接続された、請求項２５に記載の、２つの信号を合成するための装置。
【請求項２８】
前記少なくとも１つのコンバイナが、少なくとも１つの入力と少なくとも１つの出力とを有する第１のコンバイナを備え、前記少なくとも１つの入力が、前記第１の増幅器および前記第３の増幅器に動作可能に接続され、第２のコンバイナが、少なくとも１つの入力と少なくとも１つの出力とを有し、前記少なくとも１つの入力が、前記第２の増幅器および前記第４の増幅器に動作可能に接続され、
２つの信号を合成するための前記装置が、
複数の入力と複数の出力とを有するＲＦ変調器と、
前記第１のコンバイナの前記少なくとも１つの出力と、前記ＲＦ変調器の１つの入力との間に動作可能に接続された第１のデジタルアナログ変換器と、
前記第２のコンバイナの前記少なくとも１つの出力と、前記ＲＦ変調器の別の入力との間に動作可能に接続された第２の前記デジタルアナログ変換器と、
少なくとも１つの入力と少なくとも１つの出力とを有する第３のコンバイナであって、前記少なくとも１つの入力が、前記ＲＦ変調器の前記出力に動作可能に接続された、第３のコンバイナと
をさらに備える、請求項２５に記載の、２つの信号を合成するための装置。
【請求項２９】
前記ＲＦ変調器が、発振器と、前記発振器に動作可能に接続された入力と−π／２位相シフトされた出力および０度位相シフトされた出力とを有するスプリッタと、複数の乗算器とを備え、前記スプリッタの前記−π／２位相シフトされた出力が、前記第１の乗算器の１つの入力に動作可能に接続され、前記スプリッタの前記０度出力が、前記第２の乗算器の別の入力に動作可能に接続された、請求項２８に記載の、２つの信号を合成するための装置。
【請求項３０】
基地局であって、
コントローラプロセッサと、
アンテナと、
前記基地局アンテナに動作可能に接続されたデュプレクサスイッチと、
前記デュプレクサスイッチに動作可能に接続された受信機フロントエンドと、
前記受信機フロントエンドに動作可能に接続された受信機復調器と、
前記受信機復調器および前記コントローラプロセッサに動作可能に接続されたチャネル復号器およびデインターリーバと、
前記コントローラプロセッサに動作可能に接続された基地局コントローラインターフェースと、
前記コントローラプロセッサに動作可能に接続されたコーダおよびインターリーバと、
前記コーダおよびインターリーバに動作可能に接続された送信機変調器と、
前記送信機変調器に動作可能に接続され、前記デュプレクサスイッチに動作可能に接続された送信機フロントエンドモジュールと、
前記コントローラプロセッサと、前記チャネル復号器およびデインターリーバと、前記受信機復調器と、前記受信機フロントエンドと、前記送信機変調器と、前記送信機フロントエンドとの間に動作可能に接続されたデータバスと、
２つの信号を合成するための装置であって、
少なくとも１つの入力と少なくとも１つの出力とを有し、それにより前記信号が変調される、少なくとも１つのベースバンド変調器と、
入力と少なくとも１つの出力とを有する少なくとも１つの増幅器であって、前記少なくとも１つの入力が、前記少なくとも１つのベースバンド変調器の前記少なくとも１つの出力の前記出力に動作可能に接続され、それにより前記２つの信号が利得を乗算される、少なくとも１つの増幅器と、
少なくとも１つの入力と少なくとも１つの出力とを有する少なくとも１つのコンバイナであって、前記少なくとも１つの入力が、前記少なくとも１つの増幅器の前記少なくとも１つの出力に動作可能に接続され、それにより前記２つの信号が合成される、少なくとも１つのコンバイナと
を備え、
前記２つの信号の第１の信号は前記２つの信号の第２の信号よりも高い振幅で送信され、前記第１の信号は非ＤＡＲＰ（ダウンリンク高度受信機パフォーマンス）対応遠隔局へのものであり、前記第２の信号はＤＡＲＰ対応遠隔局へのものであり、前記第１の信号のより高い振幅により前記非ＤＡＲＰ遠隔局が前記第２の信号を干渉として処理することを可能にする、
装置と
を備える、基地局。
【請求項３１】
少なくとも１つの入力と少なくとも１つの出力とを有するＲＦ変調器／電力増幅器であって、前記少なくとも１つの入力が、前記コンバイナの前記少なくとも１つの出力に動作可能に接続され、それにより前記２つの信号が送信される、ＲＦ変調器／電力増幅器をさらに備える、請求項３０に記載の基地局。
【請求項３２】
前記コンバイナの前記少なくとも１つの出力に動作可能に接続されたＲＦ変調器と電力増幅器との直列接続であって、それにより前記２つの信号が送信される、直列接続をさらに備える、請求項３０に記載の基地局。
【請求項３３】
前記少なくとも１つの増幅器と前記少なくとも１つのベースバンド変調器との間に動作可能に接続された位相シフタをさらに備える、請求項３０に記載の基地局。
【請求項３４】
位相シフタをさらに備え、前記少なくとも１つのコンバイナは、前記少なくとも１つの増幅器と前記位相シフタとの間に動作可能に接続される、請求項３０に記載の基地局。
【請求項３５】
少なくとも１つの入力と少なくとも１つの出力とを有する前記少なくとも１つのベースバンド変調器が、ＧＭＳＫベースバンド変調器である、請求項３０に記載の基地局。
【請求項３６】
少なくとも１つの入力と少なくとも１つの出力とを有する前記少なくとも１つのベースバンド変調器が、同相軸上のＢＰＳＫベースバンド変調器と、直交位相軸上のＢＰＳＫベースバンド変調器とを備える、請求項３０に記載の基地局。
【請求項３７】
位相シフタが、あらゆるシンボルに対するπ／２の漸進的な位相回転を用いて、前記２つの信号のうちの１つを前記２つの信号のうちの別の１つに対して位相シフトする、請求項３０に記載の基地局。
【請求項３８】
前記少なくとも１つのベースバンド変調器が、
差分符号器と、
前記差分符号器に動作可能に接続された積分器と、
前記積分器に動作可能に接続されたガウス低域フィルタと
を備える、請求項３０に記載の基地局。
【請求項３９】
前記少なくとも１つの増幅器が、
前記ベースバンド変調器が出力する位相の余弦値に利得Ａ１を乗算する第１の増幅器と、ここにおいて、前記利得Ａ１はある所定の角度αの余弦値であり、
前記ベースバンド変調器が出力する位相の正弦値に前記利得Ａ１を乗算する第２の増幅器と、
前記ベースバンド変調器が出力する位相にπ／２を加算した値の余弦値に利得Ａ２を乗算する第３の増幅器と、ここにおいて前記利得Ａ２はある所定の角度αの正弦値であり、
前記ベースバンド変調器が出力する位相にπ／２を加算した値の正弦値に前記利得Ａ２を乗算する第４の増幅器とを備える、請求項３０に記載の基地局。。
【請求項４０】
前記コンバイナとＲＦ変調器／電力増幅器との間に動作可能に接続されたフィルタと、
前記少なくとも１つのベースバンド変調器に動作可能に接続された位相シフタと
をさらに備える、請求項３０に記載の基地局。
【請求項４１】
複数のデータソースと、
複数の出力を有する少なくとも１つの系列発生器と、
各々が複数の入力と少なくとも１つの出力とを有する複数のコンバイナであって、前記入力のうちの第１の入力が、前記データソースのうちの１つの前記出力のうちの１つに動作可能に接続され、前記入力のうちの第２の入力が、前記系列発生器の前記出力のうちの１つに動作可能に接続され、それにより少なくとも１つのトレーニング系列が、少なくとも１つの合成データを生成するために、少なくとも１つのデータと合成される、複数のコンバイナと、
複数の入力と少なくとも１つの出力とを有する前記送信機変調器と
をさらに備える、請求項３０に記載の基地局。
【請求項４２】
前記メモリに記憶されたソフトウェアをさらに備え、前記メモリは、
第１のデータおよび第２のデータを発生することと、
第１のトレーニング系列および第２のトレーニング系列を発生することと、
第１の合成データを生成するために前記第１のトレーニング系列を前記第１のデータと合成することと、
第２の合成データを生成するために前記第２のトレーニング系列を前記第２のデータと合成することと、
第１の送信信号および第２の送信信号を生成するために、同じキャリア周波数および同じタイムスロットを使用して、前記第１の合成データと前記第２の合成データの両方を変調し、送信することと、
前記基地局によって前記同じキャリア周波数上の前記同じタイムスロットで前記トレーニング系列と前記トレーニング系列の両方を使用することと
を備える、チャネルを共有する第１の信号および第２の信号を生成することを行うための命令を備える、請求項３０に記載の基地局。
【請求項４３】
メモリに記憶されたソフトウェアをさらに備え、前記ソフトウェアは、
新しい接続をセットアップすることと、
既存の接続と共有すべき前記新しい接続のための使用済みのタイムスロットを選択することと、
前記既存の接続のトレーニング系列とは異なる、前記新しい接続のためのトレーニング系列符号を選択することと、
前記基地局によって前記同じキャリア周波数上の前記同じタイムスロットで前記トレーニング系列と前記トレーニング系列の両方を使用することと
を備える、シングルチャネル上で信号を共有することを行うための命令を備える、請求項３０に記載の基地局。
【請求項４４】
前記少なくとも１つの増幅器が、
前記ベースバンド変調器が出力する位相の余弦値に利得Ａ１を乗算する第１の増幅器と、ここにおいて、前記利得Ａ１はある所定の角度αの余弦値であり、
前記ベースバンド変調器が出力する位相の正弦値に前記利得Ａ１を乗算する第２の増幅器と、
前記ベースバンド変調器が出力する位相にπ／２を加算した値の余弦値に利得Ａ２を乗算する第３の増幅器と、ここにおいて前記利得Ａ２はある所定の角度αの正弦値であり、
前記ベースバンド変調器が出力する位相にπ／２を加算した値の正弦値に前記利得Ａ２を乗算する第４の増幅器とを備える、請求項３８に記載の基地局。
【請求項４５】
少なくとも１つの入力と少なくとも１つの出力とを有する前記少なくとも１つのベースバンド変調器が、同相軸上のＢＰＳＫベースバンド変調器と、直交位相軸上のＢＰＳＫベースバンド変調器とを備える、請求項４０に記載の基地局。
【請求項４６】
前記フィルタが線形ガウスフィルタである、請求項４０に記載の基地局。
【請求項４７】
前記フィルタが線形ガウスフィルタである、請求項４５に記載の基地局。
【請求項４８】
発振器と、前記発振器に動作可能に接続され、入力と、位相シフトによって分離された第１および第２の出力とを有するスプリッタと、各々が少なくとも１つの入力と少なくとも１つの出力とを有する複数の乗算器とを備える、少なくとも１つのＲＦ変調器をさらに備え、第１の乗算器の前記少なくとも１つの入力が、前記第１の増幅器の出力に動作可能に接続され、第２の乗算器の前記少なくとも１つの入力が、前記第２の増幅器の出力に動作可能に接続され、第３の乗算器の前記少なくとも１つの入力が、前記第３の増幅器の出力に動作可能に接続され、第４の乗算器の前記少なくとも１つの入力が、前記第３の増幅器の出力に動作可能に接続された、請求項４６に記載の基地局。
【請求項４９】
発振器と、前記発振器に動作可能に接続され、入力と、位相シフトによって分離された第１および第２の出力とを有するスプリッタと、各々が少なくとも１つの入力と少なくとも１つの出力とを有する複数の乗算器とを備える、少なくとも１つのＲＦ変調器をさらに備え、
第１の前記乗算器が、前記第１の増幅器に動作可能に接続された前記少なくとも１つの入力と、前記スプリッタの−π／２位相シフトされた出力とを有し、第１のコンバイナの１つの入力に動作可能に接続された前記少なくとも１つの出力を有し、
第２の前記乗算器が、前記第２の増幅器に動作可能に接続された前記少なくとも１つの入力と、前記スプリッタの０度位相シフトされた出力とを有し、前記第１のコンバイナの別の入力に動作可能に接続された前記少なくとも１つの出力を有し、
第３の前記乗算器が、前記第３の増幅器に動作可能に接続された前記少なくとも１つの入力と、前記スプリッタの前記−π／２位相シフトされた出力とを有し、第２の前記コンバイナの１つの入力に動作可能に接続された前記少なくとも１つの出力を有し、
第４の前記乗算器が、前記第４の増幅器に動作可能に接続された前記少なくとも１つの入力と、前記スプリッタの前記０度位相シフトされた出力とを有し、前記第２のコンバイナの前記別の入力に動作可能に接続された前記少なくとも１つの出力を有し、
第３のコンバイナが、少なくとも１つの入力と少なくとも１つの出力とを有し、前記少なくとも１つの入力が、前記第１のコンバイナと前記第２のコンバイナとの前記出力に動作可能に接続された、請求項４７に記載の基地局。
【請求項５０】
前記少なくとも１つのコンバイナが、少なくとも１つの入力と少なくとも１つの出力とを有する第１のコンバイナを備え、前記少なくとも１つの入力が、前記第１の増幅器および前記第３の増幅器に動作可能に接続され、第２のコンバイナが、少なくとも１つの入力と少なくとも１つの出力とを有し、前記少なくとも１つの入力が、前記第２の増幅器および前記第４の増幅器に動作可能に接続され、
２つの信号を合成するための前記装置が、
複数の入力と複数の出力とを有するＲＦ変調器と、
前記第１のコンバイナの前記少なくとも１つの出力と、前記ＲＦ変調器の１つの入力との間に動作可能に接続された第１のデジタルアナログ変換器と、
前記第２のコンバイナの前記少なくとも１つの出力と、前記ＲＦ変調器の別の入力との間に動作可能に接続された第２の前記デジタルアナログ変換器と、
少なくとも１つの入力と少なくとも１つの出力とを有する第３のコンバイナであって、前記少なくとも１つの入力が、前記ＲＦ変調器の前記出力に動作可能に接続された、第３のコンバイナと
をさらに備える、請求項４７に記載の基地局。
【請求項５１】
前記ＲＦ変調器が、発振器と、前記発振器に動作可能に接続された入力と−π／２位相シフトされた出力および０度位相シフトされた出力とを有するスプリッタと、複数の乗算器とを備え、前記スプリッタの前記−π／２位相シフトされた出力が、前記第１の乗算器１８４１の１つの入力に動作可能に接続され、前記スプリッタの前記０度位相シフトされた出力が、前記第２の乗算器の別の入力に動作可能に接続された、請求項５０に記載の基地局。
【請求項５２】
２つの信号を合成するための装置であって、
前記２つの信号を変調するための手段と、
前記２つの信号に利得を乗算するための手段と、
前記２つの信号を位相シフトするための手段と、
前記２つの信号を互いに加算するための手段と、
前記加算された信号を送信するための手段と
を備え、
前記２つの信号の第１の信号は前記２つの信号の第２の信号よりも高い振幅で送信され、前記第１の信号は非ＤＡＲＰ（ダウンリンク高度受信機パフォーマンス）対応遠隔局へのものであり、前記第２の信号はＤＡＲＰ対応遠隔局へのものであり、前記第１の信号のより高い振幅により前記非ＤＡＲＰ遠隔局が前記第２の信号を干渉として処理することを可能にする、
装置。
【請求項５３】
前記２つの信号のうちの第１の信号に乗算すべき前記利得は、所定の角度（α）に関する余弦値すなわちＡ１であり、前記２つの信号のうちの第２の信号に乗算すべき前記利得は、所定の角度（α）に関する正弦値すなわちＡ２である、請求項５２に記載の装置。
【請求項５４】
位相シフトするための前記手段が、前記２つの信号のうちの１つを、前記２つの信号の同相および直交位相ごとにπ／２だけ位相シフトするための手段を備える、請求項５２に記載の装置。
【請求項５５】
前記２つの信号を同相軸および直交位相軸にマッピングするための手段と、
前記２つの信号をフィルタ処理するための手段と
をさらに備える、請求項５２に記載の装置。
【請求項５６】
前記第１の信号と第２の信号の振幅比のデシベル表現は、２０＊ｌｏｇ１０（Ａ2／Ａ1）であり、デシベルで表される前記比が８〜１０ｄＢの間である、請求項５３に記載の装置。
【請求項５７】
前記２つの信号がＱＰＳＫコンスタレーションの同相軸および直交位相軸にマッピングされ、シンボルごとにπ／２の漸進的な位相回転が行われる、請求項５５に記載の装置。
【請求項５８】
前記２つの信号のうちの第１の信号に乗算すべき前記利得は、所定の角度（α）に関する余弦値すなわちＡ１であり、前記２つの信号のうちの第２の信号に乗算すべき前記利得は、所定の角度（α）に関する正弦値すなわちＡ２であり、Ａ1が、αのコサインに等しい同相信号の振幅であり、αはそのタンジェントが前記比の振幅であり、Ａ2が、αのサインに等しい直交位相信号の振幅である、請求項５５に記載の装置。
【請求項５９】
新しい接続をセットアップするための手段と、
既存の接続と共有すべき前記新しい接続のためのチャネル周波数上の使用済みのタイムスロットを選択するための手段と、
前記既存の接続のトレーニング系列とは異なる、前記新しい接続のためのトレーニング系列を選択するための手段と、
１つの基地局によって前記同じチャネル周波数上の前記同じタイムスロットで前記トレーニング系列と前記トレーニング系列の両方を使用するための手段と
を備える、シングルチャネル上で信号を共有するための手段をさらに備える、請求項５５に記載の装置。
【請求項６０】
第１のデータおよび第２のデータを発生するための手段と、
第１のトレーニング系列および第２のトレーニング系列を発生するための手段と、
第１の合成データを生成するために前記第１のトレーニング系列を前記第１のデータと合成することと、第２の合成データを生成するために前記第２のトレーニング系列を前記第２のデータと合成することとを行うための手段と、
第１の送信信号および第２の送信信号を生成するために、同じチャネル周波数および同じタイムスロットを使用して、前記第１の合成データと前記第２のデータ合成データの両方を変調し、送信するための手段と、
１つの基地局によって前記同じチャネル周波数上の前記同じタイムスロットで前記トレーニング系列と前記トレーニング系列の両方を使用するための手段と
を備える、チャネルを共有する第１の信号および第２の信号を生成するための手段をさらに備える、請求項５５に記載の装置。
【請求項６１】
ＧＳＭ（登録商標）スペクトルマスク基準を満たすために、ＥＧＰＲＳ  ８ＰＳＫ変調のために使用される線形ガウス前記フィルタを用いて、前記加算された信号をフィルタ処理する手段をさらに備える、請求項５６に記載の装置。
【請求項６２】
コンピュータに２つの信号を合成させるためのコードであって、
前記２つの信号を変調することと、
前記２つの信号に利得を乗算することと、
前記２つの信号を位相シフトすることと、
前記２つの信号を互いに加算することと、
前記加算された信号を送信することと
を行うための命令を備える、コードを備え、
前記２つの信号の第１の信号は前記２つの信号の第２の信号よりも高い振幅で送信され、前記第１の信号は非ＤＡＲＰ（ダウンリンク高度受信機パフォーマンス）対応遠隔局へのものであり、前記第２の信号はＤＡＲＰ対応遠隔局へのものであり、前記第１の信号のより高い振幅により前記非ＤＡＲＰ遠隔局が前記第２の信号を干渉として処理することを可能にする、
コンピュータ可読記録媒体。
【請求項６３】
前記２つの信号のうちの第１の信号に乗算すべき前記利得は、所定の角度（α）に関する余弦値すなわちＡ１であり、前記２つの信号のうちの第２の信号に乗算すべき前記利得は、所定の角度（α）に関する正弦値すなわちＡ２である、請求項６２に記載のコンピュータ可読記録媒体。
【請求項６４】
位相シフトするための前記命令が、前記信号のうちの１つを、前記２つの信号の同相および直交位相ごとにπ／２だけ位相シフトするための手段を備える、請求項６２に記載のコンピュータ可読記録媒体。
【請求項６５】
前記２つの信号を同相軸および直交位相軸にマッピングするための命令と、
前記２つの信号をフィルタ処理するための命令と
をさらに備える、請求項６２に記載のコンピュータ可読記録媒体。
【請求項６６】
前記第１の信号と第２の信号の振幅比のデシベル表現は、２０＊ｌｏｇ１０（Ａ2／Ａ1）であり、デシベルで表される前記比が８〜１０ｄＢの間である、請求項６３に記載のコンピュータ可読記録媒体。
【請求項６７】
前記２つの信号がＱＰＳＫコンスタレーションの同相軸および直交位相軸にマッピングされ、あらゆるシンボルに対するπ／２の漸進的な位相回転が行われる、請求項６５に記載のコンピュータ可読記録媒体。
【請求項６８】
前記２つの信号のうちの第１の信号に乗算すべき前記利得は、所定の角度（α）に関する余弦値すなわちＡ１であり、前記２つの信号のうちの第２の信号に乗算すべき前記利得は、所定の角度（α）に関する正弦値すなわちＡ２であり、Ａ1が、αのコサインに等しい同相信号の振幅であり、αは、そのタンジェントが前記第１の信号と前記第２の信号の振幅比であり、Ａ2が、αのサインに等しい直交位相信号の振幅である、請求項６５に記載のコンピュータ可読記録媒体。
【請求項６９】
新しい接続をセットアップすることと、
既存の接続と共有すべき前記新しい接続のためのチャネル周波数上の使用済みのタイムスロットを選択することと、
前記既存の接続のトレーニング系列とは異なる、前記新しい接続のためのトレーニング系列を選択することと、
１つの基地局によって同じチャネル周波数上の同じタイムスロットで前記トレーニング系列と前記トレーニング系列の両方を使用することと
を備える、シングルチャネル上で信号を共有することを行うための命令をさらに備える、請求項６５に記載のコンピュータ可読記録媒体。
【請求項７０】
第１のデータおよび第２のデータを発生することと、
第１のトレーニング系列および第２のトレーニング系列を発生することと、
第１の合成データを生成するために前記第１のトレーニング系列を前記第１のデータと合成することと、第２の合成データを生成するために前記第２のトレーニング系列を前記第２のデータと合成することと、
第１の送信信号および第２の送信信号を生成するために、同じチャネル周波数４１１および同じタイムスロットを使用して、前記第１の合成データと前記第２のデータ合成データの両方を変調し、送信することと、
１つの基地局によって同じチャネル周波数上の同じタイムスロットで前記トレーニング系列と前記トレーニング系列の両方を使用することと
を備える、チャネルを共有する第１の信号および第２の信号を生成することを行うための命令をさらに備える、請求項６５に記載のコンピュータ可読記録媒体。
【請求項７１】
前記加算された信号をフィルタ処理するための前記命令が、ＧＳＭ（登録商標）スペクトルマスク基準を満たすために、ＥＧＰＲＳ  ８ＰＳＫ変調のために使用される線形ガウスフィルタを用いて、前記加算された信号をフィルタ処理することを備える、請求項６６に記載のコンピュータ可読記録媒体。
【発明の詳細な説明】
【技術分野】
【０００１】
本発明は、一般に無線通信の分野に関し、特に、無線通信システムにおけるチャネル容量の増加に関する。
【背景技術】
【０００２】
ますます多くの人々が、ボイスだけでなくデータの通信にも、たとえば、モバイルフォンなどのモバイル通信デバイスを使用している。ＧＳＭ（登録商標）／ＥＤＧＥ  Ｒａｄｉｏ  Ａｃｃｅｓｓ  Ｎｅｔｗｏｒｋ（ＧＥＲＡＮ）仕様では、ＧＰＲＳおよびＥＧＰＲＳがデータサービスを提供する。ＧＥＲＡＮの規格は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によって維持されている。ＧＥＲＡＮは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））の一部である。より具体的には、ＧＥＲＡＮは、基地局（ＡｔｅｒおよびＡｂｉｓインターフェース）と基地局コントローラ（Ａインターフェースなど）とを接合するネットワークとともに、ＧＳＭ（登録商標）／ＥＤＧＥの無線部分である。ＧＥＲＡＮはＧＳＭ（登録商標）ネットワークのコアを表す。ＧＥＲＡＮは、ＰＳＴＮおよびインターネットから移動局を含む遠隔局に、ならびに、移動局を含む遠隔局からＰＳＴＮおよびインターネットに、電話呼およびパケットデータをルーティングする。より大きい帯域幅およびより高いデータレートを採用する第３世代通信システムの場合、ＧＳＭ（登録商標）システムにおいてＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）規格が採用されている。ＧＥＲＡＮは、組み合わされたＵＭＴＳ／ＧＳＭ（登録商標）ネットワークの一部でもある。
【０００３】
今日のネットワークには以下の問題が存在する。第１に、より多くのトラフィックチャネルが必要とされており、それは容量の問題である。アップリンク（ＵＬ）上よりもダウンリンク（ＤＬ）上でのデータスループットのより高い需要があるので、ＤＬの使用率とＵＬの使用率は対称的でない。たとえば、ＦＴＰ転送を行う移動局（ＭＳ）は、４Ｄ１Ｕを与えられる可能性があり、それは、フルレートの場合は４つのユーザリソースを必要とし、ハーフレートの場合は８つのユーザリソースを必要とすることを意味し得る。そのままでは、ネットワークは、ボイスに関して４つまたは８つの発呼者にサービスを提供すべきなのか、あるいは１つのデータ呼に関して４つまたは８つの発呼者にサービスを提供すべきなのかを決定しなければならない。データ呼とボイス呼との両方が同時に行われるＤＴＭ（二重転送モード）を可能にするためには、より多くのリソースが必要となる。
【０００４】
第２に、ネットワークがデータ呼をサービスする間、多くの新しいユーザがボイス呼をも希望する場合、新しいユーザは、ＵＬリソースとＤＬリソースとの両方が利用可能でない限り、サービスを得ない。したがって、一部のＵＬリソースは浪費され得る。一方では、呼を行うのを待っている顧客がいて、サービスが行われ得ず、他方では、ＵＬが、利用可能ではあるが、対になるＤＬの欠如により浪費される。
【０００５】
第３に、マルチタイムスロットモードで動作する（ユーザ機器またはＵＥとしても知られる）移動局がネイバーセルを走査し、ネイバーセルを監視するためのより少ない時間があり、それは呼ドロップおよびパフォーマンスの問題を生じることがある。
【０００６】
図１は、ワイヤレス通信システムにおける送信機１１８と受信機１５０とのブロック図を示す。ダウンリンクの場合、送信機１１８は基地局の一部であり得、受信機１５０はワイヤレスデバイス（遠隔局）の一部であり得る。アップリンクの場合、送信機１１８はワイヤレスデバイスの一部であり得、受信機１５０は基地局の一部であり得る。基地局は、一般に、ワイヤレスデバイスと通信する固定局であり、ノードＢ、進化型ノードＢ（ｅノードＢ）、アクセスポイントなどと呼ばれることもある。ワイヤレスデバイスは、固定でも移動でもよく、遠隔局、移動局、ユーザ機器、モバイル機器、端末、リモート端末、アクセス端末、局などと呼ばれることもある。ワイヤレスデバイスは、セルラー電話、携帯情報端末（ＰＤＡ）、ワイヤレスモデム、ワイヤレス通信デバイス、ハンドヘルドデバイス、加入者ユニット、ラップトップコンピュータなどであり得る。
【０００７】
送信機１１８において、送信（ＴＸ）データプロセッサ１２０が、データを受信し、処理（たとえば、フォーマッティング、符号化、およびインターリーブ）し、符号化データを与える。変調器１３０が、符号化データに対して変調を実行し、変調信号を与える。変調器１３０は、ＧＳＭ（登録商標）の場合はガウス型最小シフトキーイング（ＧＭＳＫ）、Ｅｎｈａｎｃｅｄ  Ｄａｔａ  ｒａｔｅｓ  ｆｏｒ  Ｇｌｏｂａｌ  Ｅｖｏｌｕｔｉｏｎ  （ＥＤＧＥ）の場合は８位相シフトキーイング（８ＰＳＫ）、などを実行し得る。ＧＭＳＫは連続位相変調プロトコルであるが、８ＰＳＫはデジタル変調プロトコルである。送信機ユニット（ＴＭＴＲ）１３２が、変調信号を調整（たとえば、フィルタ処理、増幅、およびアップコンバート）し、ＲＦ変調信号を発生し、ＲＦ変調信号はアンテナ１３４を介して送信される。
【０００８】
受信機１５０において、アンテナ１５２が、送信機１１０および他の送信機からＲＦ変調信号を受信する。アンテナ１５２は、受信されたＲＦ信号を受信機ユニット（ＲＣＶＲ）１５４に供給する。受信機ユニット１５４は、受信されたＲＦ信号を調整（たとえば、フィルタ処理、増幅、およびダウンコンバート）し、調整された信号をデジタル化し、サンプルを与える。復調器１６０が、以下で説明されるようにそのサンプルを処理し、復調データを与える。受信（ＲＸ）データプロセッサ１７０が、復調データを処理（たとえば、デインターリーブおよび復号）し、復号データを与える。一般に、復調器１６０およびＲＸデータプロセッサ１７０による処理は、送信機１１０における、それぞれ、変調器１３０およびＴＸデータプロセッサ１２０による処理を補足するものである。
【０００９】
コントローラ／プロセッサ１４０および１８０が、それぞれ、送信機１１８および受信機１５０における動作を指示する。メモリ１４２および１８２が、それぞれ、送信機１１８および受信機１５０によって使用される、コンピュータソフトウェアの形態のプログラムコードとデータとを記憶する。
【００１０】
図２は、図１中の受信機１５０における受信機ユニット１５４と復調器１６０との設計のブロック図を示す。受信機ユニット１５４内で、受信チェーン４４０が、受信されたＲＦ信号を処理し、ＩbbおよびＱbbとして示されるＩベースバンド信号およびＱベースバンド信号を与える。受信チェーン４４０は、低雑音増幅、アナログフィルタ処理、直角位相ダウンコンバージョンなどを実行し得る。アナログデジタル変換器（ＡＤＣ）４４２が、サンプリングレートｆadcでＩベースバンド信号およびＱベースバンド信号をデジタル化し、ＩadcおよびＱadcとして示されるＩサンプルおよびＱサンプルを与える。一般に、ＡＤＣサンプリングレートｆadcは、任意の整数または非整数ファクタによってシンボルレートｆsymに関係付けられ得る。
【００１１】
復調器１６０内で、プリプロセッサ４２０が、ＡＤＣ４４２からのＩサンプルおよびＱサンプルに対して前処理を実行する。たとえば、プリプロセッサ４２０は、直流電流（ＤＣ）オフセットを除去し、周波数オフセットを除去することなどをし得る。入力フィルタ４２２が、特定の周波数応答に基づいてプリプロセッサ４２０からのサンプルをフィルタ処理し、ＩinおよびＱinとして示される入力Ｉサンプルおよび入力Ｑサンプルを与える。フィルタ４２２は、ＩサンプルおよびＱサンプルをフィルタ処理して、ＡＤＣ４４２によるサンプリングから生じるイメージならびに妨害物を抑制し得る。フィルタ４２２はまた、たとえば、２４Ｘオーバーサンプリングから２Ｘオーバーサンプリングに下げる、サンプルレート変換を実行し得る。データフィルタ４２４が、別の周波数応答に基づいて入力フィルタ４２２からの入力Ｉサンプルおよび入力Ｑサンプルをフィルタ処理し、ＩoutおよびＱoutとして示される出力Ｉサンプルおよび出力Ｑサンプルを与える。フィルタ４２２および４２４は、有限インパルス応答（ＦＩＲ）フィルタ、無限インパルス応答（ＩＩＲ）フィルタ、または他のタイプのフィルタを用いて実装され得る。フィルタ４２２および４２４の周波数応答は、良好なパフォーマンスを達成するように選択され得る。１つの設計では、フィルタ４２２の周波数応答は固定され、フィルタ４２４の周波数応答は構成可能である。
【００１２】
隣接チャネル干渉（ＡＣＩ）検出器４３０が、フィルタ４２２から入力Ｉサンプルおよび入力Ｑサンプルを受信し、受信されたＲＦ信号中のＡＣＩを検出し、ＡＣＩインジケータをフィルタ４２４に供給する。ＡＣＩインジケータが、ＡＣＩが存在するか否かを示し得、存在する場合は、ＡＣＩが、＋２００ＫＨｚに中心をおかれるより高いＲＦチャネルによるものなのか、および／または−２００ＫＨｚに中心をおかれるより低いＲＦチャネルによるものなのかを示し得る。フィルタ４２４の周波数応答は、以下で説明されるように、良好なパフォーマンスを達成するために、ＡＣＩインジケータに基づいて調整され得る。
【００１３】
等化器／検出器４２６が、フィルタ４２４から出力Ｉサンプルおよび出力Ｑサンプルを受信し、これらのサンプルに対して等化、整合フィルタ処理、検出、および／または他の処理を実行する。たとえば、等化器／検出器４２６は、ＩサンプルおよびＱサンプルの系列を仮定すれば、送信された可能性が最も高いシンボルの系列と、チャネル推定値とを判断する最尤系列推定器（ＭＬＳＥ）を実装し得る。
【００１４】
Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））は、セルラー、ワイヤレス通信における普及した規格である。ＧＳＭ（登録商標）は、スペクトルリソースを共有するために、時間分割多元接続（ＴＤＭＡ）と周波数分割多元接続（ＦＤＭＡ）との組合せを採用する。ＧＳＭ（登録商標）ネットワークは、一般に、いくつかの周波数帯域において動作する。たとえば、アップリンク通信の場合、ＧＳＭ（登録商標）−９００は、通常、８９０〜９１５ＭＨｚ帯域において無線スペクトルを使用する（移動局から送受信基地局へ）。ダウンリンク通信の場合、ＧＳＭ（登録商標）９００は、９３５〜９６０ＭＨｚ帯域を使用する（基地局から移動局へ）。さらに、各周波数帯域が２００ｋＨｚキャリア周波数に分割されると、２００ｋＨｚだけ離間した１２４個のＲＦチャネルを与える。ＧＳＭ（登録商標）−１９００は、アップリンクの場合は１８５０〜１９１０ＭＨｚ帯域を使用し、ダウンリンクの場合は１９３０〜１９９０ＭＨｚ帯域を使用する。ＧＳＭ（登録商標）９００のように、ＦＤＭＡは、アップリンクとダウンリンクとの両方のためのＧＳＭ（登録商標）−１９００スペクトルを２００ｋＨｚ幅のキャリア周波数に分割する。同様に、ＧＳＭ（登録商標）−８５０は、アップリンクの場合は８２４〜８４９ＭＨｚ帯域を使用し、ダウンリンクの場合は８６９〜８９４ＭＨｚ帯域を使用し、一方、ＧＳＭ（登録商標）−１８００は、アップリンクの場合は１７１０〜１７８５ＭＨｚ帯域を使用し、ダウンリンクの場合は１８０５〜１８８０ＭＨｚ帯域を使用する。
【００１５】
ＧＳＭ（登録商標）における各チャネルは、絶対無線周波数チャネル番号またはＡＲＦＣＮによって識別される特定の絶対無線周波数チャネルによって識別される。たとえば、ＡＲＦＣＮ１〜１２４がＧＳＭ（登録商標）９００のチャネルに割り当てられ、一方、ＡＲＦＣＮ５１２〜８１０がＧＳＭ（登録商標）１９００のチャネルに割り当てられる。同様に、ＡＲＦＣＮ１２８〜２５１がＧＳＭ（登録商標）８５０のチャネルに割り当てられ、一方、ＡＲＦＣＮ５１２〜８８５がＧＳＭ（登録商標）１８００のチャネルに割り当てられる。また、各基地局は、１つまたは複数のキャリア周波数を割り当てられる。各キャリア周波数は、８つの連続するタイムスロットが、４．６１５ｍｓの継続時間をもつ１つのＴＤＭＡフレームを形成するように、ＴＤＭＡを使用して（タイムスロット０〜７と標示された）８つのタイムスロットに分割される。物理チャネルは、ＴＤＭＡフレーム内の１つのタイムスロットを占有する。各アクティブワイヤレスデバイス／ユーザは、呼の継続時間の間、１つまたは複数のタイムスロットインデックスを割り当てられる。各ワイヤレスデバイスのユーザ固有のデータは、そのワイヤレスデバイスに割り当てられた（１つまたは複数の）タイムスロットで、およびトラフィックチャネルのために使用されるＴＤＭＡフレームで送信される。
【００１６】
フレーム内の各タイムスロットは、ＧＳＭ（登録商標）においてデータの「バースト」を送信するために使用される。時々、タイムスロットおよびバーストという用語は互換的に使用され得る。各バーストは、２つのテールフィールドと、２つのデータフィールドと、トレーニング系列（またはミッドアンブル）フィールドと、ガード期間（ＧＰ）とを含む。各フィールド中のシンボル数が丸括弧内に示されている。バーストは、テール、データ、およびミッドアンブルフィールドのための１４８個のシンボルを含む。ガード期間ではシンボルは送信されない。特定のキャリア周波数のＴＤＭＡフレームが、番号付けされ、マルチフレームと呼ばれる２６個または５１個のＴＤＭＡフレームのグループで形成される。
【００１７】
図３は、ＧＳＭ（登録商標）における例示的なフレームおよびバーストフォーマットを示す。送信のためのタイムラインがマルチフレームに分割される。ユーザ固有のデータを送信するために使用されるトラフィックチャネルの場合、この例では、各マルチフレームは、ＴＤＭＡフレーム０〜２５として標示された２６個のＴＤＭＡフレームを含む。トラフィックチャネルは、各マルチフレームのＴＤＭＡフレーム０〜１１およびＴＤＭＡフレーム１３〜２４で送信される。制御チャネルは、ＴＤＭＡフレーム１２で送信される。アイドルＴＤＭＡフレーム２５ではデータは送信されず、アイドルＴＤＭＡフレーム２５は、近隣基地局に対する測定を行うためにワイヤレスデバイスによって使用される。
【００１８】
図４は、ＧＳＭ（登録商標）システムにおける例示的なスペクトルを示す。この例では、５つのＲＦ変調信号が、２００ＫＨｚだけ離れて離間した５つのＲＦチャネル上で送信される。当該のＲＦチャネルは、０Ｈｚの中心周波数とともに示されている。２つの隣接するＲＦチャネルは、所望のＲＦチャネルの中心周波数から＋２００ＫＨｚおよび−２００ＫＨｚである中心周波数を有する。（ブロッカまたは非隣接ＲＦチャネルと呼ばれる）次の２つの最近接ＲＦチャネルは、所望のＲＦチャネルの中心周波数から＋４００ＫＨｚおよび−４００ＫＨｚである中心周波数を有する。他のＲＦチャネルがこのスペクトルにはあり得るが、簡単のために図３に示されていない。ＧＳＭ（登録商標）では、ＲＦ変調信号は、ｆsym＝１３０００／４０＝２７０．８キロシンボル／秒（Ｋｓｐｓ）のシンボルレートで発生され、最高±１３５ＫＨｚの−３ｄＢ帯域幅を有する。したがって、隣接するＲＦチャネル上のＲＦ変調信号は、図４に示されるように、エッジにおいて互いに重複し得る。
【００１９】
ボイス、データなどの情報を通信し、および／または情報を制御するために、ＧＳＭ（登録商標）では１つまたは複数の変調方式が使用される。変調方式の例は、ＧＭＳＫ（ガウス型最小シフトキーイング）、Ｍ値ＱＡＭ（直交振幅変調）またはＭ値ＰＳＫ（位相シフトキーイング）を含み得、ただし、Ｍ＝２nであり、ｎは、指定された変調方式のシンボル期間内に符号化されるビット数である。ＧＭＳＫは、最大レート２７０．８３キロビット毎秒（Ｋｂｐｓ）での未加工の送信を可能にする定エンベロープバイナリ変調方式である。
【００２０】
ＧＳＭ（登録商標）は標準ボイスサービスに対して効率的である。しかしながら、ハイフィデリティオーディオおよびデータサービスは、ボイスサービスとデータサービスとの両方を転送するための容量に対する増加した需要のために、より高いデータスループットレートを望む。容量を増加させるために、ＧＳＭ（登録商標）システムにおいてＧｅｎｅｒａｌ  Ｐａｃｋｅｔ  Ｒａｄｉｏ  Ｓｅｒｖｉｃｅ（ＧＰＲＳ）、ＥＤＧＥ（Ｅｎｈａｎｃｅｄ  Ｄａｔａ  ｒａｔｅｓ  ｆｏｒ  ＧＳＭ（登録商標）  Ｅｖｏｌｕｔｉｏｎ）およびＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）規格が採用されている。
【００２１】
Ｇｅｎｅｒａｌ  Ｐａｃｋｅｔ  Ｒａｄｉｏ  Ｓｅｒｖｉｃｅ（ＧＰＲＳ）は非ボイスサービスである。ＧＰＲＳは、情報がモバイル電話ネットワーク上で送信および受信されることを可能にする。ＧＰＲＳは回路交換データ（ＣＳＤ）およびショートメッセージサービス（ＳＭＳ）を補う。ＧＰＲＳは、ＧＳＭ（登録商標）と同じ変調方式を採用する。ＧＰＲＳは、フレーム全体（すべての８つのタイムスロット）が同時に単一の移動局によって使用されることを可能にする。したがって、より高いデータスループットレートが達成可能である。
【００２２】
ＥＤＧＥ規格は、ＧＭＳＫ変調と８ＰＳＫ変調との両方を使用する。また、変調タイプはバーストごとに変更され得る。ＥＤＧＥにおける８ＰＳＫ変調は、３π／８回転を用いた線形の８値位相変調であり、一方、ＧＭＳＫは、非線形のガウスパルス整形周波数変調である。ただし、ＧＳＭ（登録商標）において使用される特定のＧＭＳＫ変調は、線形変調（すなわち、π／２回転を用いた２値位相変調）と近似され得る。近似されたＧＭＳＫのシンボルパルスと８ＰＳＫのシンボルパルスは同じである。
【００２３】
ＧＳＭ（登録商標）／ＥＤＧＥでは、移動局（ＭＳ）が周波数オフセット推定および補正を使用してＭＳの局部発振器（ＬＯ）を基地局（ＢＳ）のＬＯに同期させることを可能にするために、周波数バースト（ＦＢ）が基地局によって定期的に送信される。これらのバーストは、全「０」ペイロードおよびトレーニング系列に対応するシングルトーンを備える。周波数バーストの全０ペイロードは、一定の周波数信号、またはシングルトーンバーストである。パワーオンまたはキャンプオンモードであるとき、あるいはネットワークに最初にアクセスするとき、遠隔局は、キャリアのリストから周波数バーストを連続的に捜索する。周波数バーストを検出すると、ＭＳは、キャリアから６７．７ＫＨｚであるＭＳの公称周波数に対して周波数オフセットを推定する。この推定された周波数オフセットを使用して、そのＭＳのＬＯが補正される。パワーオンモードでは、周波数オフセットは＋／−１９ＫＨｚと同程度であり得る。ＭＳは、スタンバイモードで、ＭＳの同期を維持するために周波数バーストを監視するために、周期的に起動する。スタンバイモードでは、周波数オフセットは±２ＫＨｚ以内である。
【００２４】
現代のモバイルセルラー電話は、従来のボイス呼およびデータ呼を提供することが可能である。両方のタイプの呼に対する需要は増加し続けており、ネットワーク容量に対する需要を増加させている。ネットワーク事業者は、ネットワーク事業者の容量を増加させることによって、この需要に対処している。これは、たとえば、セルを分割または追加し、したがってより多くの基地局を追加することによって達成され、それはハードウェアコストを増加させる。特に、ある小さいエリア内で位置を特定された多くのユーザまたは加入者が一度にネットワークにアクセスすることを望む、国際フットボール試合または大きなフェスティバルなどの大きなイベント中の異常に大きいピーク需要に対処するために、ハードウェアコストを過度に増加させることなしにネットワーク容量を増加させることが望ましい。第１の遠隔局が通信のためのチャネル（チャネル周波数とタイムスロットとを備えるチャネル）を割り振られると、第２の遠隔局は、第１の遠隔局がそのチャネルを使用し終えた後にのみ、その割り振られたチャネルを使用することができる。最大セル容量は、すべての割り振られたチャネル周波数がそのセルにおいて使用され、すべての利用可能なタイムスロットが、使用中であるかまたは割り振られているかのいずれかであるときに、達せられる。これは、どの追加の遠隔局ユーザもサービスを得ることができないことを意味する。実際は、高周波再使用パターンおよび大容量負荷（タイムスロットおよびチャネル周波数の８０％など）によってもたらされる同一チャネル干渉（ＣＣＩ）および隣接チャネル干渉（ＡＣＩ）による、別の容量制限が存在する。
【００２５】
ネットワーク事業者はいくつかの方法でこの問題に対処しているが、そのすべてが付加リソースおよび付加コストを必要とする。たとえば、１つの手法は、セクタ化された、または指向性の、アンテナアレイを使用することによって、セルをセクタに分割することである。各セクタは、セル内の遠隔局のサブセットに通信を与えることができ、異なるセクタ中の遠隔局間の干渉は、セルがセクタに分割されず、すべての遠隔局が同じセル中にある場合よりも小さい。別の手法は、セルをより小さいセルに分割することであり、各新しいより小さいセルは基地局を有する。これらの手法は両方とも、追加されるネットワーク機器のために、実装するのに費用がかかる。さらに、セルを追加すると、またはセルをいくつかのより小さいセルに分割すると、セル間の距離が低減されるので、１つのセル内の遠隔局は隣接セルからより多くのＣＣＩおよびＡＣＩ干渉を受けることになり得る。
【発明の概要】
【００２６】
第１の実施形態では、本特許出願は、２つの信号を合成するための手段、ステップおよび命令であって、上記信号を変調することと、上記信号に利得を乗算することと、上記信号を位相シフトすることと、上記信号を互いに加算することと、その加算された信号を送信することとを備える、手段、ステップおよび命令を備える。別の実施形態では、本特許出願は、上記信号をＩ軸およびＱ軸にマッピングすることと、上記信号をフィルタ処理することとを行うための手段、ステップおよび命令をさらに備え、Ｉ信号およびＱ信号は、あらゆるシンボルに対してπ／２だけ位相シフトされる。
【００２７】
別の実施形態では、本特許出願は、２つの信号を合成するための装置であって、少なくとも１つのベースバンド変調器と、それにより上記信号が利得を乗算される少なくとも１つの増幅器と、上記少なくとも１つの増幅器に動作可能に接続され、それにより上記信号が合成される少なくとも１つのコンバイナとを備える、装置を備える。
【００２８】
別の実施形態では、本装置は、上記少なくとも１つのベースバンド変調器に動作可能に接続された、上記２つの信号を合成するより前に上記信号間でπ／２位相シフトを与えるための位相シフタをさらに備え、上記少なくとも１つのベースバンド変調器は、Ｉ軸上のＢＰＳＫベースバンド変調器と、Ｑ軸上のＢＰＳＫベースバンド変調器とを備える。
【００２９】
別の実施形態では、本特許出願は基地局を備え、本基地局は、コントローラプロセッサと、アンテナと、基地局アンテナに動作可能に接続されたデュプレクサスイッチと、デュプレクサスイッチに動作可能に接続された受信機フロントエンドと、受信機フロントエンドに動作可能に接続された受信機復調器と、受信機復調器およびコントローラプロセッサに動作可能に接続されたチャネル復号器およびデインターリーバと、コントローラプロセッサに動作可能に接続された基地局コントローラインターフェースと、コントローラプロセッサに動作可能に接続されたコーダおよびインターリーバと、コーダおよびインターリーバに動作可能に接続された送信機変調器と、前記送信機変調器とデュプレクサスイッチとの間に動作可能に接続された送信機フロントエンドモジュールと、データバスであって、前記コントローラプロセッサと、前記チャネル復号器およびデインターリーバと、前記受信機復調器と、前記受信機フロントエンドと、前記送信機変調器と、前記送信機フロントエンドとの間に動作可能に接続されたデータバスと、２つの信号を合成するための装置であって、少なくとも１つのベースバンド変調器と、上記少なくとも１つのベースバンド変調器に動作可能に接続され、それにより上記信号が利得を乗算される少なくとも１つの増幅器と、上記少なくとも１つの増幅器に動作可能に接続され、それにより上記信号が合成される少なくとも１つのコンバイナと、上記少なくとも１つのベースバンド変調器に動作可能に接続された位相シフタとを備える、装置とを備える。別の実施形態では、本基地局は、上記少なくとも１つのベースバンド変調器に動作可能に接続された、上記２つの信号間でπ／２位相シフトを与えるための位相シフタをさらに備え、上記少なくとも１つのベースバンド変調器は、Ｉ軸上のＢＰＳＫベースバンド変調器と、Ｑ軸上のＢＰＳＫベースバンド変調器とを備える。
【００３０】
本方法および装置の適用性のさらなる範囲が、以下の詳細な説明、特許請求の範囲、および図面から明らかになろう。しかしながら、本発明の趣旨および範囲内での様々な変更および修正が当業者には明らかになるので、詳細な説明および具体的な例は、本発明の好ましい実施形態を示しているが、例として与えられるにすぎないことが理解されるべきである。
【００３１】
本発明の特徴、目的および利点は、添付の図面とともに、以下に記載される詳細な説明が読まれれば、より明らかになろう。
【図面の簡単な説明】
【００３２】
【図１】送信機と受信機とのブロック図。
【図２】受信機ユニットと復調器とのブロック図。
【図３】ＧＳＭ（登録商標）における例示的なフレームおよびバーストフォーマットを示す図。
【図４】ＧＳＭ（登録商標）システムにおける例示的なスペクトルを示す図。
【図５】セルラー通信システムの簡略図。
【図６】セルラーシステムの一部であるセルの構成を示す図。
【図７】時分割多元接続（ＴＤＭＡ）通信システムのためのタイムスロットの例示的な構成を示す図。
【図８Ａ】シングルチャネルを共有する第１の信号および第２の信号を生成するために、多元接続通信システムにおいて動作するための装置を示す図。
【図８Ｂ】第１の変調信号および第２の変調信号を合成するためのコンバイナを使用して、シングルチャネルを共有する第１の信号および第２の信号を生成するために、多元接続通信システムにおいて動作するための装置を示す図。
【図９】添付の図面の図８、図１０または図１１のいずれかに示される装置を使用するための方法を開示するフローチャート。
【図１０Ａ】図９によって説明された方法が基地局コントローラに常駐するであろう例示的な一実施形態を示す図。
【図１０Ｂ】図１０Ａの基地局コントローラによって実行されるステップを開示するフローチャート。
【図１１】基地局中の信号のフローを示す態様における基地局を示す図。
【図１２】セルラー通信システムの基地局コントローラ（ＢＳＣ）内に常駐し得るメモリサブシステム内のデータ記憶の例示的な構成を示す図。
【図１３】本方法および装置のＤＡＲＰ機能を有する遠隔局のための例示的な受信機アーキテクチャを示す図。
【図１４】同じチャネルを２つの遠隔局に割り当てるように適合されたＧＳＭ（登録商標）システムの一部を示す図。
【図１５】異なる振幅をもつ２つの信号を合成し、送信するための装置の第１の例を開示する図。
【図１６】異なる振幅をもつ２つの信号を合成し、送信するための装置の第２の例を開示する図。
【図１７】異なる振幅をもつ２つの信号を合成し、送信するための装置の第３の例を開示する図。
【図１８】異なる振幅をもつ２つの信号を合成し、送信するための装置の第４の例を開示する図。
【図１９】両方のユーザのデータをＱＰＳＫコンスタレーションのＩ軸およびＱ軸上にそれぞれマッピングすることによって２つの信号を合成するための代替手法または代替例を示す図。
【図２０】ＱＰＳＫコンスタレーション図。
【図２１Ａ】異なる振幅をもつ２つの信号を合成し、送信するためのステップを開示するフローチャート。
【図２１Ｂ】両方のユーザをＱＰＳＫコンスタレーションのＩ軸およびＱ軸上にそれぞれマッピングすることによって信号を合成するためのステップを開示するフローチャート。
【図２１Ｃ】異なる振幅をもつ２つの信号を合成し、送信するためのステップを開示するフローチャート。
【図２２】非ＭＵＲＯＳ基地局が遠隔基地局中の使用可能なＭＵＲＯＳ機能を識別するように適合するときに行われるステップを開示することを備えるフローチャート。
【図２３】図２１Ａ、図２１Ｂ、図２１Ｃおよび図２２中で開示される方法を実行し得る、メモリに記憶されたソフトウェアをもつ基地局を示す図。
【発明を実施するための形態】
【００３３】
添付の図面に関して以下に示される詳細な説明は、本発明の例示的な実施形態の説明として意図されており、本発明が実施され得る唯一の実施形態を表すことは意図されていない。この説明全体にわたって使用される「例示的」という用語は、「例、事例、または例示の働きをすること」を意味し、必ずしも他の実施形態よりも好ましいまたは有利であると解釈されるべきではない。詳細な説明は、本発明の完全な理解を与えるための具体的な詳細を含む。ただし、本発明がこれらの具体的な詳細なしに実施され得ることは当業者には明らかであろう。いくつかの例では、本発明の概念を不明瞭にしないように、よく知られている構造およびデバイスはブロック図の形式で示されている。
【００３４】
他のユーザに起因する干渉はワイヤレスネットワークのパフォーマンスを制限する。この干渉は、上述のＣＣＩとして知られている同じ周波数上の隣接セルからの干渉、または同じく上述のＡＣＩとして知られている同じセル上の隣接周波数からの干渉のいずれかの形をとることがある。
【００３５】
同一チャネル干渉（ＣＣＩ）を低減するためにシングルアンテナ干渉除去（ＳＡＩＣ）が使用される。３Ｇ  Ｐａｒｔｎｅｒｓｈｉｐ  Ｐｒｏｊｅｃｔ（３ＧＰＰ）はＳＡＩＣパフォーマンスを規格化した。ＳＡＩＣは、干渉をなくすために使用される方法である。３ＧＰＰは、ＳＡＩＣを適用する受信機について説明するために、ダウンリンク高度受信機パフォーマンス（ＤＡＲＰ）を採用した。
【００３６】
ＤＡＲＰは、より低い再利用ファクタを採用することによってネットワーク容量を増加させる。さらに、ＤＡＲＰは同時に干渉を抑制する。ＤＡＲＰは、遠隔局の受信機のベースバンド部分において動作する。ＤＡＲＰは、一般的な雑音とは異なる隣接チャネル干渉および同一チャネル干渉を抑制する。ＤＡＲＰは、（２００４年のＲｅｌ−６以来）これまでに規定されたＧＳＭ（登録商標）規格においてリリース独立型の機能として利用可能であり、Ｒｅｌ−６以降の仕様の不可欠な部分である。以下は、２つのＤＡＲＰ方法の説明である。第１は、ジョイント検出／復調（ＪＤ）方法である。ＪＤは、所望の信号に加えて、いくつかの干渉信号のうちの１つを復調するために、同期モバイルネットワークにおける隣接するセル中のＧＳＭ（登録商標）信号構造の知識を使用する。干渉信号を取り出すためのＪＤの能力は、特定の隣接チャネル干渉物の抑制を可能にする。ＧＭＳＫ信号を復調することに加えて、ＪＤは、ＥＤＧＥ信号を復調するためにも使用され得る。ブラインド干渉除去（ＢＩＣ）は、ＧＭＳＫ信号を復調するためにＤＡＲＰにおいて使用される別の方法である。ＢＩＣの場合、受信機は、所望の信号が受信され得るのと同時に受信され得る干渉信号の構造の知識を有しない。受信機は、隣接チャネル干渉物に対して効果的に「ブラインド」であるので、この方法は、干渉構成要素を全体として抑制することを試みる。ＧＭＳＫ信号は、ＢＩＣ方法によって望まれるキャリアから復調される。ＢＩＣは、ＧＭＳＫ変調された音声およびデータサービスのために使用されるとき最も効果的であり、非同期ネットワークにおいて使用され得る。
【００３７】
本方法および装置のＤＡＲＰ対応の遠隔局等化器／検出器４２６はまた、等化、検出などに先立ってＣＣＩ除去を実行する。図２中の等化器／検出器４２６は復調データを与える。ＣＣＩ除去は、通常、ＢＳ１１０、１１１、１１４上で利用可能である。また、遠隔局１２３〜１２７はＤＡＲＰ対応であってもＤＡＲＰ対応でなくてもよい。ネットワークは、ＧＳＭ（登録商標）遠隔局（たとえば移動局）のための、呼の開始点であるリソース割当て段階において、または電源投入段階中に、遠隔局がＤＡＲＰ対応であるか否かを判断し得る。
【００３８】
基地局によって処理され得る遠隔局へのアクティブ接続の数を増加させることが望ましい。添付の図面の図５は、セルラー通信システム１００の簡略図を示す。システムは、基地局１１０、１１１および１１４と、遠隔局１２３、１２４、１２５、１２６および１２７とを備える。基地局コントローラ１４１〜１４４は、モバイル交換センター１５１、１５２の制御下で、様々な遠隔局１２３〜１２７との間で信号をルーティングするように働く。モバイル交換センター１５１、１５２は公衆交換電話網（ＰＳＴＮ）１６２に接続される。遠隔局１２３〜１２７は、通常、ハンドヘルドモバイルデバイスであるが、データを処理することが可能な多くの固定ワイヤレスデバイスおよびワイヤレスデバイスも、遠隔局１２３〜１２７の総称に該当する。
【００３９】
たとえば、ボイスデータを搬送する信号は、モバイル交換センター１５１、１５２の制御下で、基地局コントローラ１４１〜１４４によって遠隔局１２３〜１２７の各々と他の遠隔局１２３〜１２７との間で転送される。代替的に、たとえば、ボイスデータを搬送する信号は、公衆交換電話網１６２を介して遠隔局１２３〜１２７の各々と他の通信ネットワークの他の通信機器との間で転送される。公衆交換電話網１６２は、モバイルセルラーシステム１００と他の通信システムとの間で呼がルーティングされることを可能にする。そのような他のシステムは、様々なタイプの、様々な規格に準拠する他のモバイルセルラー通信システム１００を含む。
【００４０】
遠隔局１２３〜１２７の各々は、いくつかの基地局１１０、１１１、１１４のうちのいずれか１つによってサービスされ得る。遠隔局１２４は、サービング基地局１１４によって送信された信号と、近くの非サービング基地局１１０、１１１によって送信され、他の遠隔局１２５にサービスすることが意図された信号との両方を受信する。
【００４１】
基地局１１０、１１１、１１４からの様々な信号の強度は、遠隔局１２４によって周期的に測定され、ＢＳＣ１４４、１１４などに報告される。近くの基地局１１０、１１１からの信号がサービング基地局１１４の信号よりも強くなった場合、モバイル交換センター１５２は、近くの基地局１１０をサービング基地局にするように働き、サービング基地局１１４を非サービング基地局にするように働き、近くの基地局１１０に信号をハンドオーバする。ハンドオーバは、データセッションまたは進行中の呼を、コアネットワークに接続されたあるチャネルから別のチャネルに転送する方法を指す。
【００４２】
セルラーモバイル通信システムでは、無線リソースは、いくつかのチャネルに分割される。各アクティブ接続（たとえばボイス呼）は、（基地局１１０、１１１、１１４によって遠隔局１２３〜１２７に送信され、遠隔局１２３〜１２７によって受信される）ダウンリンク信号のための特定のチャネル周波数を有する特定チャネルと、（遠隔局１２３〜１２７によって基地局１１０、１１１、１１４に送信され、基地局１１０、１１１、１１４によって受信される）アップリンク信号のための特定のチャネル周波数を有するチャネルとを割り振られる。同時の送信および受信を可能にし、遠隔局１２３〜１２７または基地局１１０、１１１、１１４において送信信号と受信信号との間の干渉を低減するために、ダウンリンクのための周波数とアップリンク信号のための周波数とはしばしば異なる。
【００４３】
セルラーシステムが多くのユーザにアクセスを与えるための方法は周波数再利用である。添付の図面の図６は、周波数再利用を使用するセルラー通信システムにおけるセルの構成を示す。この特定の例は、４つのサイトおよび１２個の周波数を表す４：１２の再利用ファクタを有する。それは、基地局が使用するために利用可能な１２個の周波数が、各サイトが１つの基地局１１０、１１１、１１４を有する、Ａ〜Ｄと標示された基地局の４つのサイトに割り振られることを意味する。各サイトは（ここで、通常、セルと呼ばれる）３つのセクタに分割される。別の形で述べられると、１２個のセルのすべてが異なる周波数を有するように、４つのサイトの各々の３つのセルの各々に１つの周波数が割り振られる。周波数再利用パターンは、図に示されているようにそれ自体を反復する。基地局１１０はセルＡに属し、基地局１１４はセルＢに属し、基地局１１１はセルＣに属し、以下同様である。基地局１１０は、それぞれ隣接する基地局１１１および１１４の隣接するサービスエリア２３０および２４０と重なるサービスエリア２２０を有する。遠隔局１２４、１２５は、サービスエリア間を自由にローミングする。上記で説明されたように、セル間の信号の干渉を低減するために、各サイトは、その隣接サイトの各々に割り振られたチャネル周波数のセットとは異なるチャネル周波数のセットを割り振られる。しかしながら、隣接しない２つのサイトは周波数の同じセットを使用し得る。基地局１１０は、たとえば、そのサービスエリア２２０中の遠隔局１２５と通信するための周波数ｆ１、ｆ２およびｆ３を備える周波数割振りセットＡを使用することができる。同様に、基地局１１４は、たとえば、そのサービスエリア２４０中の遠隔局１２４と通信するための周波数ｆ４、ｆ５およびｆ６を備える周波数割振りセットＢを使用することができ、以下同様である。太い境界線によって画定されたエリア２５０は、１つの４サイト反復パターンを含んでいる。反復パターンは、通信システム１００によってサービスされる地理的エリアに関して規則的な構成で反復する。本例は４つのサイトからそれ自体を反復するが、反復パターンは、４つ以外の数のサイトおよび１２個以外の総数の周波数を有し得ることが諒解され得る。
【００４４】
ＴＤＭＡは、容量の増加を実現することを対象とする多元接続技法である。ＴＤＭＡを使用して、各キャリア周波数は、フレームと呼ばれる時間間隔にセグメント化される。各フレームは、割当て可能なユーザタイムスロットにさらに区分される。ＧＳＭ（登録商標）では、フレームは８つのタイムスロットに区分される。したがって、８つの連続するタイムスロットは、４．６１５ｍｓの継続時間をもつ１つのＴＤＭＡフレームを形成する。
【００４５】
物理チャネルは、特定の周波数上の各フレーム内の１つのタイムスロットを占有する。特定のキャリア周波数のＴＤＭＡフレームは番号付けされ、各ユーザは、各フレーム内の１つまたは複数のタイムスロットを割り当てられる。さらに、フレーム構造は、固定ＴＤＭＡ割当てが、各時間フレーム中に周期的に出現する１つまたは複数のスロットを構成するように反復する。したがって、各基地局は、単一のチャネル周波数内で異なる割り当てられたタイムスロットを使用して、複数の遠隔局１２３〜１２７と通信することができる。上述のように、タイムスロットは周期的に反復する。たとえば、第１のユーザは周波数ｆ１のあらゆるフレームの第１のスロット上で送信することができ、第２のユーザは周波数ｆ２のあらゆるフレームの第２のスロット上で送信することができる。各ダウンリンクタイムスロットの間、遠隔局１２３〜１２７は、基地局１１０、１１１、１１４によって送信された信号を受信するためのアクセスを与えられ、各アップリンクタイムスロットの間、基地局１１０、１１１、１１４は、遠隔局１２３〜１２７によって送信された信号を受信するためのアクセスを与えられる。したがって、遠隔局１２３〜１２７への通信のためのチャネルは、ＧＳＭ（登録商標）システムの場合、周波数とタイムスロットの両方を備える。同様に、基地局１１０、１１１、１１４への通信のためのチャネルは、周波数とタイムスロットの両方を備える。
【００４６】
図７は、時分割多元接続（ＴＤＭＡ）通信システムのためのタイムスロットの例示的な構成を示す。基地局１１４は、番号付けされたタイムスロット系列３０でデータ信号を送信し、各信号は、遠隔局１２３〜１２７のセットのうちの１つのみに関し、各信号は、送信信号の範囲内のすべての遠隔局１２３〜１２７のアンテナにおいて受信される。基地局１１４は、割り当てられたチャネル周波数上のスロットを使用してすべての信号を送信する。たとえば、第１の遠隔局１２４は第１のタイムスロット３を割り振られることがあり、第２の遠隔局１２６は第２のタイムスロット５を割り振られることがある。基地局１１４は、この例では、タイムスロット系列３０のタイムスロット３中に第１の遠隔局１２４のための信号を送信し、タイムスロット系列３０のタイムスロット５中に第２の遠隔局１２６のための信号を送信する。第１および第２の遠隔局１２４、１２６は、基地局１１４から信号を受信するために、タイムスロット系列３０のそれらのそれぞれのタイムスロット３および５の間、アクティブである。遠隔局１２４、１２６は、アップリンク上でタイムスロット系列３１の対応するタイムスロット３および５中に信号を基地局１１４に送信する。基地局１１４が３０を送信する（および、遠隔局１２４、１２６が３０を受信する）ためのタイムスロットは、遠隔局１２４、１２６が３１を送信する（および、基地局１１４が３１を受信する）のためのタイムスロットに対して時間的にオフセットされることが理解され得る。
【００４７】
送信タイムスロットと受信タイムスロットとの時間的なこのオフセットは、中でも、送信動作と受信動作とが時間の異なるインスタンスにおいて発生することを可能にする時分割多重化（ＴＤＤ）として知られている。
【００４８】
ボイスおよびデータ信号は、基地局１１０、１１１、１１４と遠隔局１２３〜１２７との間で送信すべき唯一の信号ではない。基地局１１０、１１１、１１４と遠隔局１２３〜１２７との間の通信の様々な態様を制御するデータを送信するために制御チャネルが使用される。中でも、基地局１１０、１１１、１１４は、基地局１１０、１１１、１１４が遠隔局１２３〜１２７に信号を送信するために系列のセットのうちのどれを使用することになるかを示す系列符号またはトレーニング系列符号（ＴＳＣ）を遠隔局１２３〜１２７に送信するために制御チャネルを使用する。ＧＳＭ（登録商標）では、２６ビットトレーニング系列が等化のために使用される。これは、あらゆるタイムスロットバーストの最中に信号中で送信される既知の系列である。
【００４９】
系列は、時間とともに急速に変動するチャネル劣化を補償するため、他のセクタまたはセルからの干渉を低減するため、および遠隔局１２３〜１２７の受信機を受信信号に同期させるために遠隔局１２３〜１２７によって使用される。これらの機能は、遠隔局１２３〜１２７の受信機の一部である等化器によって実行される。等化器４２６は、既知の送信されたトレーニング系列信号がマルチパスフェージングによってどのように変更されたかを判断する。等化は、所望の信号の残りを抽出するために、逆フィルタを構成することによって不要な反射から所望の信号を抽出するために、この情報を使用し得る。互いに近接した基地局１１０、１１１、１１４によって送信される系列間の干渉を低減するために、異なる系列（および関連する系列符号）は異なる基地局１１０、１１１、１１４によって送信される。
【００５０】
上述のように、ＤＡＲＰを用いて、本方法および装置の遠隔局１２３〜１２７は、遠隔局１２３〜１２７にサービスしている基地局１１０、１１１、１１４によって遠隔局１２３〜１２７に送信された信号を、他のセルの非サービング基地局１１０、１１１、１１４によって送信された他の不要な信号と区別するために系列を使用することができる。これは、不要な信号の受信振幅または受信電力レベルが希望信号の振幅に対してしきい値を下回る限り当てはまる。不要な信号が、このしきい値を上回る振幅を有する場合、不要な信号は、希望信号に対して干渉を生じる可能性がある。さらに、しきい値は、遠隔局の１２３〜１２７の受信機の機能に応じて異なる可能性がある。たとえば、サービングおよび非サービング基地局１１０、１１１、１１４からの信号が、送信のために同じタイムスロットを共有する場合、干渉信号および所望の（または希望）信号は、遠隔局１２３〜１２７の受信機に同時に到着する可能性がある。
【００５１】
再び図５を参照すると、遠隔局１２４において、遠隔局１２５のための基地局１１０からの送信は、遠隔局１２４のための基地局１１４からの送信と干渉する可能性がある（干渉信号の経路は破線矢印１７０によって示されている）。同様に、遠隔局１２５において、遠隔局１２４のための基地局１１４からの送信は、遠隔局１２５のための基地局１１０からの送信と干渉する可能性がある（干渉信号の経路は破線矢印１８２によって示されている）。
【表１】
0005394491.tif 000002
【００５２】
表１は、図６に示される２つの基地局１１０および１１４によって送信される信号のパラメータの例示的な値を示す。表１の行３および行４中の情報は、遠隔局１２４に関して、第１の基地局１１４からの希望信号と、第２の基地局１１０からの、遠隔局１２５に向けられた不要な干渉物信号との両方が受信され、２つの受信信号は、同じチャネルと、同様の電力レベル（それぞれ−８２ｄＢｍおよび−８１ｄＢｍ）とを有することを示す。同様に、行６および行７中の情報は、遠隔局１２５に関して、第２の基地局１１０からの希望信号と、第１の基地局１１４からの、遠隔局１２４に向けられた不要な干渉物信号との両方が受信され、２つの受信信号は、同じチャネルと、同様の電力レベル（それぞれ−８０ｄＢｍおよび−７９ｄＢｍ）とを有することを示す。
【００５３】
したがって、各遠隔局１２４、１２５は、同じチャネル上で（すなわち、同時に）異なる基地局１１４、１１０から同様の電力レベルを有する希望信号と不要な干渉物信号との両方を受信する。２つの信号は、同じチャネル上で同様の電力レベルで到着するので、それらは互いに干渉する。これは、希望信号の復調および復号の際に誤りを引き起こすことがある。この干渉は、上述の同一チャネル干渉である。
【００５４】
同一チャネル干渉は、ＤＡＲＰ対応遠隔局１２３〜１２７、基地局１１０、１１１、１１４および基地局コントローラ１５１、１５２の使用によって、以前に可能であったよりも大きく緩和され得る。基地局１１０、１１１、１１４は、同様の電力レベルを有する２つの同一チャネル信号を同時に受信し、復調することが可能であり得るが、ＤＡＲＰは、遠隔局１２３〜１２７が、ＤＡＲＰによって同様の機能を有することを可能にする。このＤＡＲＰ機能は、ＳＡＩＣによって、またはデュアルアンテナ干渉除去（ＤＡＩＣ）として知られている方法によって実装され得る。
【００５５】
ＤＡＲＰ対応の遠隔局１２３〜１２７の受信機は、受信された不要な同一チャネル信号の振幅が希望信号の振幅と同様であるか、またはそれよりも高いときでも、不要な同一チャネル信号を除去しながら希望信号を復調し得る。ＤＡＲＰ機能は、受信された同一チャネル信号の振幅が同様であるとき、より良く動作する。この状況は、一般に、本方法および装置をまだ採用していないＧＳＭ（登録商標）などの既存のシステムにおいて、それぞれ異なる基地局１１０、１１１、１１４と通信している２つの遠隔局１２３〜１２７の各々がセル境界の近くにあり、各基地局１１０、１１１、１１４から各遠隔局１２３〜１２７への経路損失が同様であるときに発生する。
【００５６】
ＤＡＲＰ対応でない遠隔局１２３〜１２７は、対照的に、不要な同一チャネル干渉物信号が、希望信号の振幅よりも低い振幅または電力レベルを有する場合、希望信号のみを復調し得る。一例では、それは、少なくとも８ｄＢだけ低いことがあり得る。ＤＡＲＰ対応の遠隔局１２３〜１２７は、したがって、ＤＡＲＰ機能を有しない遠隔局１２３〜１２７よりも、希望信号に対して、はるかに高い振幅の同一チャネル信号を許容することができる。
【００５７】
同一チャネル干渉（ＣＣＩ）比は、ｄＢで表される希望信号の電力レベルまたは振幅と不要な信号の電力レベルまたは振幅との間の比である。一例では、同一チャネル干渉比は、たとえば、（希望信号の電力レベルが同一チャネル干渉物（または不要な）信号の電力レベルよりも６ｄＢ低い）−６ｄＢであり得る。別の例では、比は、（希望信号の電力レベルが同一チャネル干渉物（または不要な）信号の電力レベルよりも６ｄＢ高い）＋６ｄＢであり得る。良好なＤＡＲＰパフォーマンスをもつ本方法および装置の遠隔局１２３〜１２７の場合、干渉物信号の振幅は希望信号の振幅よりも１０ｄＢ程度高いことがあり、遠隔局１２３〜１２７は希望信号を依然として処理し得る。干渉物信号の振幅が希望信号の振幅よりも１０ｄＢ高い場合、同一チャネル干渉比は−１０ｄＢである。
【００５８】
ＤＡＲＰ機能は、上述のように、ＡＣＩまたはＣＣＩの存在下で遠隔局の１２３〜１２７の信号の受信を改善する。ＤＡＲＰ機能をもつ新しいユーザは、既存のユーザから来る干渉をより良く除去することになる。同じくＤＡＲＰ機能をもつ既存のユーザは、同じことを行い、新しいユーザから影響を受けないであろう。一例では、ＤＡＲＰは、０ｄＢ（信号に対する同一チャネル干渉の同じレベル）〜−６ｄＢ（同一チャネルは、所望または希望信号よりも６ｄＢ強い）の範囲内のＣＣＩに関してうまく動作する。したがって、同じＡＲＦＣＮおよび同じタイムスロットを使用するが、異なるＴＳＣを割り当てられた２つのユーザは、良好なサービスを得ることになる。
【００５９】
ＤＡＲＰ機能は、２つの遠隔局１２４および１２５が両方ともＤＡＲＰ機能を使用可能にした場合、２つの遠隔局１２４および１２５が、それぞれ、２つの基地局１１０および１１４から同様の電力レベルを有する希望信号を受信し、各遠隔局１２４、１２５が、その希望信号を復調することを可能にする。したがって、ＤＡＲＰ対応の遠隔局１２４、１２５は、両方とも、データまたはボイスのために同じチャネルを同時に使用することが可能である。
【００６０】
２つの基地局１１０、１１１、１１４から２つの遠隔局１２３〜１２７への２つの同時呼をサポートするためにシングルチャネルを使用する上述の機能は、従来技術におけるその適用例において、いくぶん制限される。機能を使用するために、２つの遠隔局１２４、１２５は、２つの基地局１１４、１１０の範囲内にあり、各々が、同様の電力レベルで２つの信号を受信する。この条件の場合、一般に、２つの遠隔局１２４、１２５は、上述のようにセル境界の近くにあることになろう。
【００６１】
本方法および装置は、各呼が、基地局１１０、１１１、１１４によって送信される信号と遠隔局１２３〜１２７によって送信される信号とを用いた、単一の基地局１１０、１１１、１１４と、複数の遠隔局１２３〜１２７のうちの１つとの間の通信を備える、（キャリア周波数上のタイムスロットからなる）同じチャネル上の２つ以上の同時呼をサポートすることを可能にする。本方法および装置は、ＤＡＲＰに関する新しい、発明性のある適用例を提供する。上述のように、ＤＡＲＰを用いて、同じキャリア周波数上の同じタイムスロット上の２つの信号は、ＤＡＲＰ以前よりも高い干渉レベルにおいて異なるトレーニング系列を使用することによって区別され得る。ＢＳ１１０、１１１、１１４からの使用されていない信号が干渉として働くので、ＤＡＲＰは、トレーニング系列を使用して不要な信号（ＢＳ１１０、１１１、１１４からの使用されていない信号）をフィルタ処理／抑制する。
【００６２】
本方法および装置は、同じセル中で２つ以上のトレーニング系列の使用を可能にする。従来技術では、基地局１１０、１１１、１１４に割り当てられていない、トレーニング系列のうちの１つは、少なくとも１つの移動局１２３〜１２７の受信機に対してマルチユーザオンワンスロット（Multi-User on One Slot）（ＭＵＲＯＳ）の場合と同様に、干渉として働くだけである。ただし、主要な相違は、その移動局１２３〜１２７のための不要な信号が、同じセル中の別の移動局１２３〜１２７によって希望されることである。レガシーシステムでは、不要な信号は、別のセル中の移動局１２３〜１２７に関するものである。本方法および装置によれば、両方のトレーニング系列信号は、同じ基地局１１０、１１１、１１４によって同じセル中の同じキャリア周波数上の同じタイムスロットで使用され得る。２つのトレーニング系列が１つのセル中で使用され得るので、セル中で２倍の通信チャネルが使用され得る。通常、別の（非隣接）セルまたはセクタからの干渉であろうトレーニング系列を利用し、基地局１１０、１１１、１１４が、同じタイムスロットに対して、そのすでに使用されているトレーニング系列に加えて、そのトレーニング系列を使用することを可能にすることによって、通信チャネルの数は２倍にされる。このようにして、同じタイムスロットで３つのトレーニング系列が使用される場合、通信チャネルの数は３倍にされる。
【００６３】
したがって、本方法および装置とともに使用されるとき、ＤＡＲＰは、ＧＳＭ（登録商標）ネットワークが、追加のユーザにサービスするために、すでに使用中の同一チャネル（すなわち、すでに使用中のＡＲＦＣＮ）を使用することを可能にする。一例では、各ＡＲＦＣＮは、フルレート（ＦＲ）音声の場合、２つのユーザのために使用され得、ハーフレート（ＨＲ）音声の場合、４つのユーザのために使用され得る。遠隔局１２３〜１２７が優れたＤＡＲＰパフォーマンスを有する場合、第３または第４のユーザにさえサービスすることも可能である。同じタイムスロット上で同じＡＦＲＣＮを使用する追加のユーザにサービスするために、ネットワークは、異なる位相シフトを使用して、追加のユーザのＲＦ信号を同じキャリア上で送信し、異なるＴＳＣを使用して、同じトラフィックチャネル（同じＡＲＦＣＮおよび使用中のタイムスロット）を追加のユーザに割り当てる。バーストは、それに応じて、ＴＳＣに対応するトレーニング系列で変調される。ＤＡＲＰ対応の遠隔局１２３〜１２７は希望または所望の信号を検出し得る。第１および第２のユーザと同様にして、第３および第４のユーザを追加することが可能である。
【００６４】
添付の図面の図８Ａは、シングルチャネルを共有する第１の信号および第２の信号を生成するために、多元接続通信システムにおいて動作するための装置を示す。（第１および第２の遠隔局１２３〜１２７のための）第１のデータソース４０１および第２のデータソース４０２は、送信のための第１のデータ４２４および第２のデータ４２５を生成する。系列発生器４０３は、第１の系列４０４および第２の系列４０５を発生する。第１のコンバイナ４０６は、第１の合成データ４０８を生成するために、第１の系列４０４を第１のデータ４２４と合成する。第２のコンバイナ４０７は、第２の合成データ４０９を生成するために、第２の系列４０５を第２のデータ４２５と合成する。
【００６５】
第１および第２の合成データ４０８、４０９は、第１のキャリア周波数４１１と第１のタイムスロット４１２とを使用して第１および第２の合成データ４０８、４０９の両方を変調するために送信機変調器４１０に入力される。この例では、キャリア周波数は発振器４２１によって発生され得る。送信機変調器は、第１の変調信号４１３および第２の変調信号４１４をＲＦフロントエンド４１５に出力する。ＲＦフロントエンドは、第１および第２の変調信号４１３、４１４をベースバンドからＲＦ（無線周波数）周波数にアップコンバートすることによって、第１および第２の変調信号４１３、４１４を処理する。アップコンバートされた信号は、それらがそれぞれ送信されるアンテナ４１６および４１７に送信される。
【００６６】
第１および第２の変調信号は、送信されるより前にコンバイナ中で合成され得る。コンバイナ４２２は、送信機変調器４１０またはＲＦフロントエンド４１５のいずれかの一部であり得るか、あるいは別個のデバイスであり得る。シングルアンテナ４１６は、放射によって、合成された第１および第２の信号を送信するための手段を与える。これは図８Ｂに示されている。
【００６７】
添付の図面の図９は、図８Ａおよび図８Ｂに示される、シングルチャネルを共有する第１の信号および第２の信号を生成するために、多元接続通信システムにおいて動作するための装置を使用するための方法を示す。本方法は、基地局１１０、１１１、１１４が、複数の遠隔局１２３〜１２７に送信するために使用すべき特定のチャネル周波数と特定のタイムスロットとを割り振ることを含み、それにより、異なるトレーニング系列が各遠隔局１２３〜１２７に割り当てられる。したがって、一例では、この方法は基地局コントローラ１５１、１５２中で実行され得る。別の例では、この方法は基地局１１０、１１１、１１４中で実行され得る。
【００６８】
方法５０１の開始に続いて、ステップ５０２において、基地局１１０、１１１、１１４と遠隔局１２３〜１２７との間に新しい接続をセットアップすべきかどうかに関する判断が行われる。返答がいいえである場合、本方法は開始ブロック５０１に戻り、上記のステップが反復される。返答がはいである場合、新しい接続がセットアップされる。次いで、ブロック５０３において、未使用のチャネル（すなわち、いずれかのチャネル周波数のための未使用のタイムスロット）があるかどうかに関する判断が行われる。使用済みまたは未使用のチャネル周波数上に未使用のタイムスロットがある場合、ブロック５０４において、新しいタイムスロットが割り振られる。次いで、本方法は開始ブロック５０１に戻り、上記のステップが反復される。
【００６９】
最終的に、（すべてのタイムスロットが接続のために使用されるので）もはや未使用のタイムスロットがないとき、ブロック５０３の質問に対する返答はいいえであり、本方法はブロック５０５に移動する。ブロック５０５において、第１の基準のセットに従って、既存の接続と共有すべき新しい接続のための使用済みのタイムスロットが選択される。様々な基準が存在し得る。たとえば、１つの基準は、タイムスロットが低いトラフィックを有する場合、それが選択され得ることであろう。別の基準は、タイムスロットが２つ以上の遠隔局１２３〜１２７によってすでに使用されていないことであり得る。採用されるネットワーク計画方法に基づいて他の可能な基準が存在することになり、基準は、それらの２つの例に制限されないことが諒解され得る。
【００７０】
既存の接続とともに共有すべき新しい接続のためのチャネル周波数上の使用済みのタイムスロットが選択されると、次いで、ブロック５０６において、第２の基準のセットに従って、新しい接続のためのＴＳＣが選択される。これらの第２の基準は、ブロック５０５において、タイムスロットの選択のために使用された基準の一部、または他の基準を含み得る。１つの基準は、ＴＳＣが、使用済みのタイムスロットを備えるチャネルに関するセルまたはセクタによってまだ使用されていないことである。別の基準は、ＴＳＣが、近くのセルまたはセクタによって、そのチャネル上で使用されていないことであり得る。次いで、本方法は開始ブロック５０１に戻り、上記のステップが反復される。
【００７１】
添付の図面の図１０Ａは、図９によって説明された方法が基地局コントローラ６００に常駐するであろう例を示す。基地局コントローラ６００内に、コントローラプロセッサ６６０およびメモリサブシステム６５０が常駐する。本方法のステップは、メモリサブシステム６５０中のメモリ６８５中のソフトウェア６８０に、またはコントローラプロセッサ６６０に常駐するメモリ６８５中のソフトウェア６８０内に、または基地局コントローラ６００中のメモリ６８５のソフトウェア６８０内に、あるいは何らかの他のデジタル信号プロセッサ（ＤＳＰ）内に、または他の形態のハードウェアに記憶され得る。基地局コントローラ６００は、図１０Ａで示されるように、モバイル交換センター６１０に接続され、基地局６２０、６３０および６４０にも接続される。
【００７２】
メモリサブシステム６５０内に示されているのは、３つのデータテーブル６５１、６５２、６５３の一部である。各データテーブルは、ＭＳと標示された列によって示される遠隔局１２３、１２４のセットのパラメータの値を記憶する。テーブル６５１はトレーニング系列符号の値を記憶する。テーブル６５２はタイムスロット番号ＴＳの値を記憶する。テーブル６５３はチャネル周波数ＣＨＦの値を記憶する。データテーブルは、代替的に、多次元の単一テーブル、または図１０Ａに示されるテーブルとは異なる次元のいくつかのテーブルとして構成され得ることが諒解され得る。
【００７３】
コントローラプロセッサ６６０は、メモリサブシステム６５０へ／からパラメータの値を送信および受信するために、データバス６７０を介してメモリサブシステム６５０と通信する。コントローラプロセッサ６６０内に、アクセス許可コマンドを発生するための機能６６１と、アクセス許可コマンドを基地局６２０、６３０、６４０に送信するための機能６６２と、トラフィック割当てメッセージを発生するための機能６６３と、トラフィック割当てメッセージを基地局６２０、６３０または６４０に送信するための機能６６４とを含む機能が含まれている。これらの機能は、メモリ６８５に記憶されたソフトウェア６８０を使用して実行され得る。
【００７４】
コントローラプロセッサ６６０内、または基地局コントローラ６００中の他の場所に、基地局６２０、６３０または６４０によって送信された信号の電力レベルを制御するための電力制御機能６６５も存在し得る。
【００７５】
基地局コントローラ６００内、すなわち、メモリサブシステム６５０およびコントローラプロセッサ６６０内に存在するものとして示されている機能は、モバイル交換センター６１０に常駐することもできることが諒解され得る。同様に、基地局コントローラ６００の一部であるものとして説明されている機能のうちの一部または全部は、基地局６２０、６３０または６４０のうちの１つまたは複数に同じく適切に常駐することができる。
【００７６】
図１０Ｂは、基地局コントローラ６００によって実行されるステップを開示するフローチャートである。遠隔局１２３、１２４（たとえば遠隔局ＭＳ１２３）にチャネルを割り振るとき、たとえば、遠隔局１２３がサービスを要求するとき、遠隔局１２３、１２４にサービスすることを望んでいる基地局６２０、６３０、６４０は、チャネル割当ての要求メッセージを基地局コントローラ６００に送信する。コントローラプロセッサ６６０は、ステップ６０２において、データバス６７０を介して要求メッセージを受信すると、新しい接続が必要とされるかどうかを判断する。返答がいいえである場合、本方法は開始ブロック６０１に戻り、上記のステップが反復される。返答がはいである場合、新しい接続セットアップが開始される。次いで、ブロック６０３において、未使用のチャネル（すなわち、いずれかのチャネル周波数のための未使用のタイムスロット）があるかどうかに関する判断が行われる。使用済みまたは未使用のチャネル周波数上に未使用のタイムスロットがある場合、ブロック６０４において、新しいタイムスロットが割り振られる。次いで、本方法は開始ブロック６０１に戻り、上記のステップが反復される。
【００７７】
一方、コントローラプロセッサ６６０は、どのチャネル周波数上にも未使用のタイムスロットがないと判断した場合、使用済みのタイムスロットを選択する。図１０Ｂのステップ６０５を参照されたい。選択は、タイムスロットの現在の使用、および遠隔局１２３、１２４の両方がＤＡＲＰ対応であるか、それらのうちの一方のみがＤＡＲＰ対応であるかなど、基準に関する情報を得るために、メモリサブシステム６５０または他のメモリ６８５にアクセスすることに基づき得る。コントローラプロセッサ６６０は、使用済みのタイムスロットを選択し、そのタイムスロットのためのトレーニング系列符号を選択する。図１０Ｂのステップ６０６を参照されたい。そのタイムスロットはすでに使用済みであるので、これは、そのタイムスロットのために選択された第２のトレーニング系列になる。
【００７８】
タイムスロットを選択するための基準を適用するために、コントローラプロセッサ６６０は、情報、たとえば、タイムスロットまたはトレーニング系列あるいは両方の現在の割振りに関する情報、および遠隔局１２３、１２４がＤＡＲＰ機能を有するかどうかに関する情報を得るために、データバス６７０を介してメモリ６５０にアクセスするかまたは他のメモリ６８５にアクセスする。コントローラプロセッサ６６０は、次いで、チャネル周波数、タイムスロットおよびトレーニング系列を遠隔局１２３に割り当てるために、コマンドを発生（６６１または６６３）し、そのコマンド基地局６２０に送信（６６２または６６４）する。次いで、本方法は開始ブロック６０１に戻り、上記のステップが反復される。
【００７９】
添付の図面の図１１は、基地局６２０、９２０中の信号のフローを示す。基地局コントローラインターフェース９２１は、通信リンク９５０を介して基地局コントローラ６００と通信する。通信リンク９５０は、たとえばデータケーブルまたはＲＦリンクであり得る。コントローラプロセッサ９６０は、データバス９７０を介して受信機構成要素９２２、９２３および９２４ならびに送信機構成要素９２７、９２８および９２９と通信し、それらを制御する。コントローラプロセッサ９６０は、データバス９８０を介してＢＳＣインターフェース９２１と通信する。データバス９７０は、ただ１つのバスまたはいくつかのバスを備えることができ、部分的または完全に双方向であり得る。データバス９７０および９８０は同じバスであり得る。
【００８０】
一例では、チャネルの許可を要求するメッセージは、基地局アンテナ９２５において、符号化され変調された放射信号中で遠隔局１２３、１２４から受信され、デュプレクサスイッチ９２６に入力される。信号は、デュプレクサスイッチ９２６の受信ポートから、（たとえば、ダウンコンバート、フィルタ処理、および増幅することによって）信号を調整する受信機フロントエンド９２４に移る。受信機復調器９２３は、調整された信号を復調し、復調された信号をチャネル復号器およびデインターリーバ９２２に出力し、チャネル復号器およびデインターリーバ９２２は、復調された信号を復号し、デインターリーブし、得られたデータをコントローラプロセッサ９６０に出力する。コントローラプロセッサ９６０は、得られたデータからチャネルの許可を要求するメッセージを導出する。コントローラプロセッサ９６０は、基地局コントローラインターフェース９２１を介して基地局コントローラ６００にメッセージを送信する。基地局コントローラ６００は、次いで、自律的に、またはモバイル交換センター６１０とともに、チャネルを遠隔局２３、２４に許可するように、または許可しないように働く。
【００８１】
基地局コントローラ６００は、アクセス許可コマンド、および遠隔局１２３、１２４のための他のデジタル通信信号またはトラフィック、たとえば割当てメッセージを発生し、通信リンク９５０を介してそれらをＢＳＣインターフェース９２１に送信する。信号は、次いで、データバス９８０を介してコントローラプロセッサ９６０に送信される。コントローラプロセッサ９６０は、遠隔局１２３、１２４のための信号をコーダおよびインターリーバ９２９に出力し、符号化されインターリーブされた信号は、次いで、送信機変調器９２８に移る。図１１から、送信機変調器９２８に入力され、各信号が遠隔局１２３、１２４に関する、いくつかの信号があることが理解され得る。これらのいくつかの信号は、図１１に示されるように、Ｉ成分とＱ成分とを有する合成変調信号を与えるために、送信機変調器９２８内で合成され得る。しかしながら、いくつかの信号の合成は、代替的に、送信機フロントエンドモジュール９２７内でのポスト変調の際に、および／または送信チェーン内の他の段階において実行され得る。変調合成信号は、送信機フロントエンド９２７から出力され、デュプレクサスイッチ９２６の送信ポートに入力される。信号は、次いで、デュプレクサスイッチ９２６のコモンポートまたはアンテナポートを介して送信のためのアンテナ９２５に出力される。
【００８２】
別の例では、チャネルの許可を要求する、第２の遠隔局１２３、１２４からの第２のメッセージが、基地局アンテナ９２５において第２の受信信号中で受信される。第２の受信信号は上述のように処理され、チャネルの許可の要求は、処理された第２の受信信号中で基地局コントローラ６００に送信される。
【００８３】
基地局コントローラ６００は、上述のように、第２のアクセス許可メッセージを発生し、それを基地局６２０、９２０に送信し、基地局６２０、９２０は、上述のように、遠隔局１２３、１２４のための第２のアクセス許可メッセージを備える信号を送信する。
【００８４】
位相シフト
基地局１１０、１１１、１１４によって送信された２つの信号に関する変調の絶対位相は同じでないことがある。同じチャネル（同一ＴＣＨ）を使用して追加のユーザにサービスするために、２つ以上のＴＳＣを与えることに加えて、ネットワークは、（１つまたは複数の）既存の同一ＴＣＨ遠隔局１２３〜１２７に対して新しい同一チャネル（同一ＴＣＨ）遠隔局１２３〜１２７のＲＦ信号のシンボルを位相シフトし得る。可能である場合、ネットワークは、一様に分散され離間した位相シフトを用いて、それらを制御し、それによって受信機パフォーマンスを改善し得る。たとえば、（特定のＡＲＦＣＮを有する）キャリア周波数の位相シフトは、２つのユーザの場合、９０度離れることになり、３つのユーザの場合、６０度離れることになろう。４つのユーザの場合、キャリア（ＡＲＦＣＮ）の位相シフトは、４５度離れることになろう。上述のように、ユーザは様々なＴＳＣを使用することになる。本方法および装置の各追加のＭＳ１２３〜１２７は、異なるＴＳＣを割り当てられ、各追加のＭＳ１２３〜１２７は、それ自体のトラフィックデータを得るために、それ自体のＴＳＣとＤＡＲＰ機能とを使用する。
【００８５】
したがって、改善されたＤＡＲＰパフォーマンスの場合、２つの異なる移動局（遠隔局）１２３、１２４に向けられた２つの信号は、理想的には、それらのチャネルインパルス応答に対してπ／２だけ位相シフトされ得るが、これ未満でも十分なパフォーマンスを与えることになる。
【００８６】
第１および第２の遠隔局１２３、１２４に同じチャネル（すなわち、同じチャネル周波数上の同じタイムスロット）が割り当てられるとき、変調器９２８が、互いに９０度の位相シフトで２つの信号を変調し、それによって、位相ダイバーシティによる信号間の干渉をさらに低減するように、信号は、好ましくは、（前述のように、異なるトレーニング系列を使用して）２つの遠隔局１２３、１２４に送信され得る。したがって、たとえば、変調器９２８から出たＩサンプルおよびＱサンプルは、それぞれ、９０度の位相だけ分離されている２つの信号のうちの１つを表すことができる。変調器９２８は、したがって、２つの遠隔局１２３、１２４のための信号間の位相差をもたらす。
【００８７】
同じチャネルを共有するいくつかの遠隔局１２３、１２４の場合、様々なオフセットをもつＩサンプルとＱサンプルとの複数のセットが発生され得る。たとえば、同じチャネル上に第３の遠隔局１２３、１２４のための第３の信号がある場合、変調器９２８は、第１の信号の位相に対して、好ましくは６０度および１２０度の位相シフトを第２および第３の信号にもたらし、得られたＩサンプルおよびＱサンプルは、すべての３つの信号を表す。たとえば、ＩサンプルおよびＱサンプルは、３つの信号のベクトル和を表すことができる。
【００８８】
このようにして、送信機変調器９２８は、基地局６２０、９２０において、同じ周波数上の同じタイムスロットを使用する、異なる遠隔局１２３、１２４に向けられた同時信号間の位相差をもたらすための手段を与える。そのような手段は他の方法で与えられ得る。たとえば、変調器９２８中で別々の信号が発生され得、得られたアナログ信号は、それらのうちの１つを位相シフト要素に通し、次いで、位相シフトされた信号と位相シフトされない信号とを単に合計することによって、送信機フロントエンド９２７中で合成され得る。
【００８９】
電力制御態様
以下の表２は、図５に示されるように、２つの基地局１１０および１１４によって送信され、遠隔局１２３〜１２７によって受信される信号に関する、チャネル周波数、タイムスロット、トレーニング系列、および受信信号電力レベルの例示的な値を示す。
【表２】
0005394491.tif 000003
【００９０】
太線の長方形によって輪郭が描かれた表２の行３および行４は、遠隔局１２３と遠隔局１２４が両方とも、インデックス３２を有するチャネル周波数を使用し、基地局１１４からの信号を受信するためにタイムスロット３を使用するが、それぞれ、異なるトレーニング系列ＴＳＣ２およびＴＳＣ３を割り振られていることを示す。同様に、行９および行１０はまた、同じ基地局１１０から信号を受信するために、同じチャネル周波数およびタイムスロットが２つの遠隔局１２５、１２７のために使用されていることを示す。各場合において、遠隔局１２５、１２７の希望信号の受信電力レベルは、２つの遠隔局１２５、１２７に関してかなり異なることが理解され得る。表３の強調された行３および行４は、基地局１１４が遠隔局１２３のための信号を送信し、遠隔局１２４のための信号をも送信することを示す。遠隔局１２３における受信電力レベルは−６７ｄＢｍであり、遠隔局１２４における受信電力レベルは−１０２ｄＢｍである。表３の行９および行１０は、基地局１１０が遠隔局１２５のための信号を送信し、遠隔局１２７のための信号をも送信することを示す。遠隔局１２５における受信電力レベルは−１０１ｄＢｍであり、遠隔局１２７における受信電力レベルは−５７ｄＢｍである。電力レベルの大きい差は、各場合において、基地局１１０からの遠隔局１２５、１２７の異なる距離に起因し得る。代替的に、電力レベルの差は、他方の遠隔局に比較して一方の遠隔局に関して、信号を送信する基地局と信号を受信する遠隔局との間の異なる経路損失または信号の異なる量のマルチパス除去に起因し得る。
【００９１】
他方の遠隔局に比較した一方の遠隔局に関する受信電力レベルのこの差は、意図的ではなく、セル計画にとって理想的ではないが、それは本方法および装置の動作を損なわない。
【００９２】
ＤＡＲＰ機能を有する遠隔局１２３〜１２７は、遠隔局の１２３〜１２７のアンテナにおいて２つの信号の振幅または電力レベルが同様である限り、同時に受信された２つの同一チャネル信号のうちのいずれか一方を首尾よく復調し得る。信号が両方とも、（２つ以上のアンテナ、たとえば、信号ごとに１つを有することができる）同じ基地局１１０、１１１、１１４によって送信され、２つの送信信号の電力レベルが実質的に同じである場合、各遠隔局１２３〜１２７は、実質的に同じ電力レベル（たとえば、互いの６ｄＢ内）でそれらの２つの信号を受信するので、これは達成可能である。基地局１１０、１１１、１１４が同様の電力レベルで２つの信号を送信するように構成される場合、または基地局１１０、１１１、１１４が固定電力レベルで両方の信号を送信する場合、送信電力は同様である。この状況は、表２をさらに参照し、表３を参照して説明され得る。
【００９３】
表２は、遠隔局１２３、１２４が、基地局１１４から実質的に異なる電力レベルを有する信号を受信することを示しているが、より詳細に調べると、表２の行３および行５で示されるように、遠隔局１２３は、基地局１１４から同じ電力レベル（−６７ｄＢｍ）で２つの信号を受信し、一方の信号は遠隔局１２３に向けられた希望信号であり、他方の信号は遠隔局１２４に向けられた不要な信号であることが理解され得る。したがって、遠隔局１２３〜１２７が同様の電力レベルを有する信号を受信するための基準は、この例では満たされるものとして示される。移動局１２３がＤＡＲＰ受信機を有する場合、移動局１２３は、この例では、したがって、希望信号を復調し、不要な信号を除去することができる。
【００９４】
同様に、（上記の）表２の行４および行６を調べることによって、遠隔局１２４は、同じチャネルを共有し、同じ電力レベル（−１０２ｄＢｍ）を有する２つの信号を受信することが理解され得る。両方の信号は基地局１１４からのものである。２つの信号のうちの一方は、遠隔局１２４にとって希望信号であり、他方の信号は、遠隔局１２３による使用が意図された不要な信号である。
【００９５】
上記の概念をさらに説明するために、表３は、表２の行が単に並べ替えられた、表２の改変バージョンである。遠隔局１２３および１２４は、それぞれ、１つの基地局１１４から、同じチャネルおよび同様の電力レベルを有する２つの信号、すなわち、希望信号と不要な信号とを受信することが理解され得る。また、遠隔局１２５は、２つの異なる基地局１１０、１１４から同じチャネルおよび同様の電力レベルを有する２つの信号、すなわち、希望信号と不要な信号とを受信する。
【表３】
0005394491.tif 000004
【００９６】
上述の装置および方法はシミュレートされており、本方法は、ＧＳＭ（登録商標）システムにおいてうまく動作することが発見されている。上述の、図８Ａ、図８Ｂ、図１０Ａ、図１１および図１２中に示されている装置は、たとえば、ＧＳＭ（登録商標）システムの基地局１１０、１１１、１１４の一部であり得る。
【００９７】
本方法および装置の別の態様によれば、基地局１１０、１１１、１１４は、同じチャネルを使用して、第１の遠隔局１２３〜１２７がＤＡＲＰ対応の受信機を有し、第２の遠隔局１２３〜１２７がＤＡＲＰ対応の受信機を有しないような、２つの遠隔局１２３〜１２７との呼を維持することが可能である。２つの遠隔局１２４〜１２７によって受信される信号の振幅は、一例では、８ｄＢと１０ｄＢとの間であり得る値の範囲内の量だけ異なるように構成され、また、ＤＡＲＰ対応の遠隔局に向けられた信号の振幅が、ＤＡＲＰ対応でない遠隔局１２４〜１２７に向けられた信号の振幅よりも低いように構成される。
【００９８】
ＭＵＲＯＳまたは非ＭＵＲＯＳ移動体は、その不要な信号を干渉として扱い得る。しかしながら、ＭＵＲＯＳ場合、両方の信号は、セル中で希望信号として扱われ得る。ＭＵＲＯＳ対応ネットワーク（たとえば、ＢＳ１１０、１１１、１１４とＢＳＣ１４１、１４４とを含むネットワーク）に伴う利点は、両方の信号が同じセル中で所望の信号として扱われ得るように、ＢＳ１１０、１１１、１１４が、タイムスロットごとに１つのみのトレーニング系列ではなく、２つ以上のトレーニング系列を使用し得ることである。ＢＳ１１０、１１１、１１４は、好適な振幅で信号を送信し、その結果、本方法および装置の各遠隔局１２３〜１２７は十分に高い振幅でそれ自体の信号を受信し、２つの信号は、２つのトレーニング系列に対応する２つの信号が両方とも検出され得るような振幅比で維持される。この機能は、ＢＳ１１０、１１１、１１４またはＢＳＣ６００中のメモリに記憶されたソフトウェアを使用して実装され得る。たとえば、ＭＳ１２３〜１２７は、それらの経路損失と既存のトラフィックチャネルの可用度とに基づいて、ペアリングのために選択される。しかしながら、一方の遠隔局１２３〜１２７の経路損失が他方の遠隔局１２３〜１２７の経路損失と非常に異なる場合、ＭＵＲＯＳは、依然として動作することができる。これは、１つの遠隔局１２３〜１２７が、ＢＳ１１０、１１１、１１４からはるかに離れているときに発生し得る。
【００９９】
電力制御に関して、ペアリングの様々な可能な組合せがある。両方の遠隔局１２３〜１２７がＤＡＲＰ対応である場合があり、または代替的に、１つのみがＤＡＲＰ対応である場合がある。両方の場合において、移動局１２３〜１２７における受信振幅または受信電力レベルは互いの１０ｄＢ内であり得る。しかしながら、１つの遠隔局１２３〜１２７のみがＤＡＲＰ対応である場合、さらなる制約は、非ＤＡＲＰ移動体１２３〜１２７が、第２の信号を受信するレベルよりも高い（一例では、第２の信号よりも少なくとも８ｄＢ高い）レベルで、その希望（または所望）の第１の信号を受信することである。ＤＡＲＰ対応の遠隔局１２３〜１２７は、しきい値量未満の量だけ第１の信号のレベルよりも低いレベルで、その第２の信号を受信する（一例では、第２の信号は、第１の信号よりも１０ｄＢ以上低くならない）。したがって、一例では、２つのＤＡＲＰ対応の遠隔局１２３〜１２７の場合、振幅比は０ｄＢ〜±１０ｄＢであり得、または、遠隔局１２３〜１２７の非ＤＡＲＰ／ＤＡＲＰペアリングの場合、非ＤＡＲＰ遠隔局１２３〜１２７のための信号は、ＤＡＲＰ遠隔局１２３〜１２７のための信号よりも８ｄＢ〜１０ｄＢ高く受信される。また、ＢＳ１１０、１１１、１１４は、各遠隔局１２３〜１２７がその感度限界を上回るその希望信号を受信するように、２つの信号を送信することが好ましい。（一例では、その希望信号は、その感度限界を少なくとも６ｄＢ上回る）。したがって、１つの遠隔局１２３〜１２７がより多くの経路損失を有する場合、ＢＳ１１０、１１１、１１４は、送信信号が感度限界を上回るレベルで遠隔局１２３〜１２７によって受信されることを確実にするのに十分高い振幅で、その遠隔局１２３〜１２７の信号を送信する。これは、その信号の絶対送信振幅を設定する。次いで、その信号と他の信号との間に必要とされるレベルの差が、他の信号の絶対振幅を決定する。
【０１００】
添付の図面の図１２は、セルラー通信システム１００の本方法および装置の基地局コントローラ（ＢＳＣ）６００内に常駐し得るメモリサブシステム６５０内のデータ記憶の例示的な構成を示す。図１２のテーブル１００１は、番号付けされた遠隔局１２３〜１２７に割り当てられたチャネル周波数の値のテーブルである。テーブル１００２は、タイムスロット番号に対して遠隔局番号１２３〜１２７が示されている、タイムスロットの値のテーブルである。タイムスロット番号３が遠隔局１２３、１２４および２２９に割り当てられていることが理解され得る。同様に、テーブル１００３は、トレーニング系列（ＴＳＣ）を遠隔局１２３〜１２７に割り振るデータテーブルを示す。
【０１０１】
図１２のテーブル１００５は、説明されたばかりのテーブル１００１、１００２、および１００３に示されるパラメータのすべてを含めるために多次元である拡大されたデータテーブルを示す。図１２に示されるテーブル１００５の部分は、使用されるであろう完全なテーブルの小さい一部分にすぎないことが諒解されよう。テーブル１００５は、さらに、各周波数割振りセットが、セルの特定のセクタ中またはセル中で使用される周波数のセットに対応する、周波数割振りセットの割振りを示す。テーブル１００５では、周波数割振りセットｆ１は、図１２のテーブル１００５に示されるすべての遠隔局１２３〜１２７に割り当てられる。図示されていないテーブル１００５の他の部分は、他の遠隔局１２３〜１２７に割り当てられる周波数割振りセットｆ２、ｆ３などを示すことが諒解されよう。データの４番目の行は、値ではなく、テーブル１００１中のデータの行３と行５との間に、図示されない多くの可能な値があることを示す反復ドットを示す。
【０１０２】
添付の図面の図１３は、ＤＡＲＰ機能を有する、本方法および装置の遠隔局１２３〜１２７のための例示的な受信機アーキテクチャを示す。一例では、受信機は、シングルアンテナ干渉除去（ＳＡＩＣ）等化器１１０５または最尤系列推定器（ＭＬＳＥ）等化器１１０６のいずれかを使用するように適合される。他のプロトコルを実装する他の等化器も使用され得る。ＳＡＩＣ等化器は、同様の振幅を有する２つの信号が受信されたときに使用するために選好される。ＭＬＳＥ等化器は、一般に、受信信号の振幅が同様でないとき、たとえば、希望信号が不要な同一チャネル信号の振幅よりもはるかに大きい振幅を有するときに使用される。
【０１０３】
添付の図面の図１４は、同じチャネルを２つの遠隔局１２３〜１２７に割り当てるように適合されたＧＳＭ（登録商標）システムの一部の簡略図を示す。本システムは、基地局トランシーバサブシステム（ＢＴＳ）または基地局１１０と、２つの遠隔局、すなわち、移動局１２５および１２７とを備える。ネットワークは、基地局トランシーバサブシステム１１０を介して、同じチャネル周波数と同じタイムスロットとを２つの遠隔局１２５および１２７に割り当てることができる。ネットワークは、異なるトレーニング系列を２つの遠隔局１２５および１２７に割り振る。遠隔局１２５および１２７は、両方とも移動局であり、両方とも、１６０に等しいＡＲＦＣＮを有するチャネル周波数と、３に等しいタイムスロットインデックス番号ＴＳをもつタイムスロットとを割り当てられる。遠隔局１２５は、５のＴＳＣを有するトレーニング系列を割り当てられ、遠隔局１２７は、０のＴＳＣを有するトレーニング系列を割り当てられる。各遠隔局１２５、１２７は、（図中に点線で示される）他の遠隔局１２５、１２７に向けられた信号とともに、（図中に実線で示される）それ自体の信号を受信することになる。各遠隔局１２５、１２７は、不要な信号を除去しながら、それ自体の信号を復調することが可能である。
【０１０４】
上述のように、本方法および装置によれば、単一の基地局１１０、１１１、１１４は、第１および第２の信号、すなわち、それぞれ、第１および第２の遠隔局１２３〜１２７のための信号を送信することができ、各信号は同じチャネル上で送信され、各信号は異なるトレーニング系列を有する。ＤＡＲＰ機能を有する第１の遠隔局１２３〜１２７は、第１の信号を第２の信号と区別するためにトレーニング系列を使用し、第１および第２の信号の振幅が、実質的に、たとえば、互いの１０ｄＢ内であるとき、第１の信号を復調し、使用することが可能である。
【０１０５】
要約すると、図１４は、ネットワークが同じ物理リソースを２つの移動局１２５、１２７に割り当てるが、それらに異なるトレーニング系列を割り振ることを示す。各ＭＳは、（図１４中に実線として示される）それ自体の信号と、（図１４中に点線として示される）他の同一ＴＣＨユーザのＭＳに向けられた信号とを受信することになる。ダウンリンク上で、各移動局は、他の移動局に向けられた信号をＣＣＩと見なし、干渉を除去することになる。したがって、２つの異なるトレーニング系列は、別のＭＵＲＯＳユーザのための信号からの干渉の抑制を可能にするために使用され得る。
【０１０６】
アップリンク上でのジョイント検出
本方法および装置は、ネットワークが新しい変調方法をサポートする必要を回避するために、ＧＭＳＫとハンドセットのＤＡＲＰ機能とを使用する。ネットワークは、各ユーザを分離するために、アップリンク上で既存の方法、たとえば、ジョイント検出を使用し得る。ジョイント検出は、同じ物理リソースが２つの異なる遠隔局１２３〜１２７に割り当てられる同一チャネル割当てを使用するが、各移動体は異なるトレーニング系列を割り当てられる。アップリンク上で、本方法および装置の各遠隔局１２３〜１２７は、異なるトレーニング系列を使用し得る。ネットワークは、アップリンク上で２つのユーザを分離するために、ジョイント検出方法を使用し得る。
【０１０７】
音声コーデックおよび新しいユーザに対する距離
他のセルに対する干渉を低減するために、ＢＳ１１０、１１１、１１４は、そのＢＳから遠隔局または移動局の距離に対して、そのダウンリンク電力を制御する。ＭＳ１２３〜１２７がＢＳ１１０、１１１、１１４に近接するとき、ダウンリンク上でＢＳ１１０、１１１、１１４によって遠隔局１２３〜１２７に送信されるＲＦ電力レベルは、ＢＳ１１０、１１１、１１４からさらに離れた遠隔局１２３〜１２７へのＲＦ電力レベルよりも低いことがあり得る。同一チャネルユーザに関する電力レベルは、それらのユーザが同じＡＲＦＣＮおよびタイムスロットを共有するとき、さらに離れた発呼者にとって十分に大きい。同一チャネルユーザは、両方とも、同じ電力レベルを有することができるが、ネットワークが基地局１１０、１１１、１１４からの同一チャネルユーザの距離を考慮する場合、これは改善され得る。一例では、電力は、距離を特定し、新しいユーザ１２３〜１２７に必要なダウンリンク電力を推定することによって制御され得る。これは、各ユーザ１２３〜１２７のタイミングアドバンス（ＴＡ）パラメータによって行われ得る。各ユーザ１２３〜１２７のＲＡＣＨは、この情報をＢＳ１１０、１１１、１１４に与える。
【０１０８】
ユーザに対する同様の距離
別の新規の機能は、現在／既存のユーザと同様の距離をもつ新しいユーザを選ぶことである。ネットワークは、同じセル中で同様の距離にあり、上記で識別された電力レベルとほぼ同じ電力レベルを必要とする既存のユーザのトラフィックチャネル（ＴＣＨ＝ＡＲＦＣＮおよびＴＳ）を識別し得る。また、別の新規の機能は、ネットワークが、次いで、このＴＣＨを、このＴＣＨの既存のユーザとは異なるＴＳＣをもつ新しいユーザに割り当て得ることである。
【０１０９】
音声コーデックの選択
別の考慮事項は、ＤＡＲＰ対応の移動体のＣＣＩ除去が、どの音声コーデックが使用されるかに応じて異なることである。したがって、ネットワーク（ＮＷ）は、この基準を使用し、遠隔局１２３〜１２７に対する距離と、使用されるコーデックとに従って、異なるダウンリンク電力レベルを割り当て得る。したがって、ネットワークがＢＳ１１０、１１１、１１４に対して同様の距離にある同一チャネルユーザを発見するとより良い場合がある。これは、ＣＣＩ除去のパフォーマンス限界に起因する。一方の信号が他方に比較してあまりに強い場合、干渉により、より弱い信号は検出され得ない。したがって、ネットワークは、同一チャネルおよび同一タイムスロットを割り当てるとき、ＢＳ１１０、１１１、１１４から新しいユーザまでの距離を考慮し得る。以下は、ネットワークが他のセルに対する干渉を最小限に抑えるために実行し得る手順である。
【０１１０】
ユーザダイバーシティを達成し、ＤＴｘを十分に利用するための周波数ホッピング
ボイス呼は、ＤＴｘ（不連続送信）モードを用いて送信され得る。これは、割り当てられたＴＣＨバーストが、（人が聴取している間）無音声持続時間にわたって静穏であり得るモードである。セル中のあらゆるＴＣＨがＤＴｘを使用するときのその利益は、ＵＬ上とＤＬ上の両方でサービングセルの全体的な電力レベルを低減し、したがって、他のセルに対する干渉が低減され得ることである。通常、人々は時間の４０％、聴取しているので、これは著しい効果を有する。ＤＴｘ機能は、上述のように、知られている利益を達成するために、ＭＵＲＯＳモードでも使用され得る。
【０１１１】
ユーザダイバーシティを確立するために周波数ホッピングが使用されるときに達成される、ＭＵＲＯＳのための追加の利益がある。２つのＭＵＲＯＳユーザが互いにペアリングするとき、両方のＭＵＲＯＳのペアリングされたユーザがＤＴｘにある、少しの時間期間があり得る。これは、上述のように、他のセルにとって利益であるが、ＭＵＲＯＳのペアリングされたユーザはいずれも互いから利益を得ない。このために、両方がＤＴｘにあるとき、割り当てられたリソースは浪費される。この潜在的に有用なＤＴｘ期間を利用するために、ユーザのグループがフレームごとに動的に互いにペアリングしているように、周波数ホッピングを行わせることができる。この方法は、ＭＵＲＯＳ動作にユーザダイバーシティをもたらし、両方のペアリングされたＭＵＲＯＳユーザがＤＴｘにある確率を低減する。それはまた、ＴＣＨ上に１つのＧＭＳＫを有する確率を増加させる。利益は、音声呼のパフォーマンスを高めることと、ネットワーク（ＮＷ）の全体的な容量を最大化することとを含む。
【０１１２】
そのような場合の例は、以下のように説明され得る。ＮＷが、フルレート音声コーデックを使用し、同様のＲＦ電力を使用する８つのＭＵＲＯＳ発呼者、Ａ、Ｂ、Ｃ、Ｄ、Ｔ、Ｕ、Ｖ、Ｗを識別したと仮定する。発呼者Ａ、Ｂ、Ｃ、Ｄは非周波数ホッピングであり得る。さらに、発呼者Ａ、Ｂ、Ｃ、Ｄは、同じタイムスロット、たとえばＴＳ３上にあるが、４つの異なる周波数ＡＲＦＣＮ  ｆ１、ｆ２、ｆ３およびｆ４を使用する。発呼者Ｔ、Ｕ、Ｖ、Ｗは周波数ホッピングである。発呼者Ｔ、Ｕ、Ｖ、Ｗは、同じタイムスロットＴＳ３上にあり、周波数ｆ１、ｆ２、ｆ３およびｆ４（モバイル割振り（ＭＡ）リスト）を使用する。それらは、それぞれ、ホッピングシーケンス番号（ＨＳＮ）＝０と、モバイル割振りインデックスオフセット（ＭＡＩＯ）０、１、２および３とが与えられると仮定する。これは、以下の表に示されるように、巡回形式で、Ａ、Ｂ、Ｃ、ＤをＴ、Ｕ、Ｖ、Ｗとペアリングさせることになる。
【表４】
0005394491.tif 000005
【０１１３】
上記は一例にすぎない。この形式は、それがどのように動作するかを示すために選択される。しかしながら、それは、この特定の構成に制限されるべきではない。それは、ペアリングのさらなるランダム性が導入される場合、一層良好に動作する。これは、４つのＭＡリスト上の周波数ホッピング上に８つのユーザのすべてを置き、２つのユーザがそれぞれＡＲＦＣＮであるという条件で、それらに異なるＨＳＮ（上記の例では、０〜３）とＭＡＩＯとを与えることによって達成され得る。
【０１１４】
データ転送
第１の方法は、使用されているトラフィックチャネル（ＴＣＨ）をペアリングする。一例では、この機能は、遠隔局側１２３〜１２７で軽微な変更が行われるか、または変更が行われずに、ネットワーク側で実装される。ネットワークは、異なるＴＳＣをもつ第１の遠隔局１２３〜１２７によってすでに使用中のＴＣＨを第２の遠隔局１２３〜１２７に割り振る。たとえば、すべてのＴＣＨが使用されているとき、必要とされる追加の（１つまたは複数の）サービスは、同様の電力を使用している（１つまたは複数の）既存のＴＣＨとペアリングされることになる。たとえば、追加のサービスが４Ｄ１Ｕデータ呼である場合、ネットワークは、追加の新しい遠隔局１２３〜１２７に対して同様の電力要件をもつ、４つの連続するタイムスロットを使用する４つの既存のボイス呼ユーザを発見する。そのような一致がない場合、ネットワークは、一致させるためにタイムスロットおよびＡＲＦＣＮを再構成することができる。次いで、ネットワークは、４つのタイムスロットを、４Ｄ  ＴＣＨを必要とする新しいデータ呼に割り当てる。新しいデータ呼は異なるＴＳＣをも使用する。さらに、追加のデータ呼のアップリンク電力は、タイムスロットをすでに使用している遠隔局１２３〜１２７のアップリンク電力に近づけられ得るか、またはそのアップリンク電力と等しくされ得る。
【０１１５】
遠隔局１２３〜１２７への２つ以上のＴＳＣの割当て
２つ以上のタイムスロットを使用するデータサービスについて考える場合、タイムスロットの（それが偶数であるとき）すべて、または（それが奇数であるとき）１つを除いてすべてがペアリングされ得る。したがって、遠隔局１２３〜１２７に２つ以上のＴＳＣを与えることによって、容量の改善が達成され得る。複数のＴＳＣを使用することによって、遠隔局１２３〜１２７は、一例では、実際のＲＦリソース割振りが半減され得るように、そのペアリングされたタイムスロットを１つのタイムスロットに結合し得る。たとえば、４ＤＬデータ転送の場合、遠隔局１２３〜１２７が、現在、各フレーム中のＴＳ１、ＴＳ２、ＴＳ３およびＴＳ４中にバーストＢ１、Ｂ２、Ｂ３およびＢ４を有すると仮定する。本方法を使用して、Ｂ１およびＢ２は、１つのＴＳＣ、たとえばＴＳＣ０を割り当てられ、Ｂ３およびＢ４は、異なるＴＳＣ、たとえばＴＳＣ１を有する。Ｂ１およびＢ２は、ＴＳ１上で送信され得、Ｂ３およびＢ４は、同じフレーム中のＴＳ２上で送信され得る。このようにして、以前の４ＤＬ割当ては、無線で４つのバーストを送信するために、２つのタイムスロットだけを使用した。ＳＡＩＣ受信機は、ＴＳＣ０を用いてＢ１およびＢ２を復号することができ、ＴＳＣ１を用いてＢ３およびＢ４を復号することができる。４つのバーストを復号するパイプライン処理は、従来の手法を用いて、この機能をシームレスに動作させ得る。
【０１１６】
タイムスロットの結合
１つのユーザの偶数のタイムスロットを結合することは、無線（ＯＴＡ）割振りを半減し、バッテリーエネルギーを節約し得る。これはまた、ネイバーセルを走査および／または監視するため、およびサービングセルとネイバーセルの両方に関するシステム情報更新のための追加の時間を解放する。ネットワーク側にいくつかのさらなる機能がある。ネットワークは、新しいユーザの距離に基づいて、同一チャネル、同一タイムスロット（同一ＴＳ）の追加の割当てを行い得る。最初に、ネットワークは、ユーザが同様の距離にあるＴＣＨを使用し得る。これは、各ユーザのタイミングＴＡによって行われ得る。各ユーザのＲＡＣＨは、この情報をＢＳ１１０、１１１、１１４に与える。
【０１１７】
ネットワークトラフィック割当ての変更
上記はまた、２つの同一チャネル、同一ＴＳユーザが、異なる方向に移動している場合、すなわち、一方がＢＳ１１０、１１１、１１４に向かって移動し、他方がＢＳ１１０、１１１、１１４から離れて移動している場合、それらのうちの１つが、電力レベルのより良い一致を有する別のＴＣＨに切り替わることになる地点があることを意味する。ネットワークは、異なるＡＲＦＣＮおよびＴＳ上にユーザを連続的に再割振りし得るので、これは問題にならないはずである。これはローカルエリア中の周波数再利用パターンに関係するので、使用すべき新しいＴＳＣの選択を最適化することなど、何らかのさらなる最適化が有用であり得る。この機能の１つの利点は、それが、ネットワーク側、たとえば、ＢＳ１１０、１１１、１１４およびＢＳＣ１４１〜１４４で、主にソフトウェア変更を使用することである。ネットワークトラフィックチャネル割当てに対する変更は容量を増加させ得る。
【０１１８】
ボイスとデータの両方に関する同一チャネル動作
さらなる改善が行われ得る。第１に、容量データレートを改善するために、同じＴＣＨ上でボイス呼ならびにデータ呼のために同一ＴＣＨ（同一チャネルおよび同一タイムスロット）が使用され得る。この機能は、ＣＳ１〜４およびＭＣＳ１〜４、８ＰＳＫなど、ＧＭＳＫ変調データサービスに適用され得る。
【０１１９】
より少数のタイムスロットの使用
この機能は、増加された容量を達成するために、データ呼に対する同一チャネル（同一ＴＣＨ）の再利用に適用され得る。データ転送の２つのタイムスロットは、ペアリングされ、対応するバーストの各々の中で使用される２つのトレーニング系列をもつ１つのタイムスロットを使用して送信され得る。それらはターゲット受信機に割り当てられる。これは、４タイムスロットダウンリンクが２タイムスロットダウンリンクに低減され得ることを意味し、これは、受信機のための電力および時間を節約する。４タイムスロットから２タイムスロットに変化することは、ネイバーセル（ＮＣ）を監視することなど、他のタスクを行うためのより多くの時間を遠隔局に与え、これは、ハンドオフまたはＨＯを改善することになる。
【０１２０】
Ｔｒａ、Ｔｒｂ、Ｔｔａ、Ｔｔｂ−動的および拡張動的ＭＡＣモードルールなど、マルチスロットクラス構成要件に関する割当ての制約が緩和され得る。これは、ネットワークがセル中で様々な発呼者からの要求にサービスするためのより多くの選択肢があることを意味する。これは、拒否されるサービス要求の数を低減するか、または最小限に抑える。これは、ネットワークの観点から容量およびスループットを増加させる。各ユーザは、ＱｏＳを損なわずに、より少ないリソースを使用することができる。より多くのユーザがサービスされ得る。一例では、これはネットワーク側のソフトウェア変更として実装され得、遠隔局１２３〜１２７は、そのＤＡＲＰ機能の上に追加のＴＳＣを受け付けるように適合される。ネットワークトラフィックチャネル割当てに対する変更は容量スループットを増加させ得る。ネットワークが使用中の間でも、アップリンクネットワークリソースの使用が節約され得る。遠隔局１２３〜１２７上で電力が節約され得る。より良いハンドオーバパフォーマンス、およびデータ呼を割り当てるネットワークに対するより少ない制限、および改善されたパフォーマンスが達成され得る。
【０１２１】
デュアルキャリア
本方法および装置は、パフォーマンスを改善するために、さらにデュアルキャリアを用いて使用され得る。データレートを改善することに関して、データレートを増加させるために、ＭＳ（またはＵＥまたは遠隔局１２３〜１２７）が２つのＡＲＦＣＮを同時に得ることができるデュアルキャリアを割り振る３ＧＰＰ仕様がある。したがって、遠隔局１２３〜１２７は、追加のデータスループットを得るために、より多くのＲＦリソースを使用し、これは上述の問題を強化する。
【０１２２】
線形ＧＭＳＫベースバンド
ＧＳＭ（登録商標）ボイスサービスの１つの目的は、ユーザの信号が検出され得るように、すべてのユーザが、許容できる誤り率を維持するのに十分であり、それ以上ではない電力レベルを使用するような最良の容量を達成することである。より大きい電力は、他のユーザが受ける不要な干渉を増すであろう。信号品質は、ｉ）基地局１１０、１１１、１１４と遠隔局１２３〜１２７との間の距離、およびｉｉ）ＲＦ環境によって影響を及ぼされる。したがって、様々なユーザ１２３〜１２７は、それらの距離とＲＦ環境とに従って様々な電力レベルを割り当てられ得る。ＧＳＭ（登録商標）ベースのシステムでは、アップリンクおよびダウンリンク上での電力制御は、不要な干渉を制限すること、および良好な通信チャネルを維持することに役立つ。
【０１２３】
マルチユーザオンワンタイムスロット（multiusers-on-one-time-slot）（ＭＵＲＯＳ）対応ネットワークをもつ電力制御を使用することの１つの利点は、様々なユーザ１２３〜１２７が、それらの個々の必要を満たすために、様々な電力レベルで信号を送信され得ることである。第２の利点は、非ＤＡＲＰ対応遠隔局１２３〜１２７が本方法および装置のＤＡＲＰ対応遠隔局１２３〜１２７とペアリングされ得ることである。次いで、非ＤＡＲＰ対応遠隔局１２３〜１２７は、ＤＡＲＰ対応遠隔局１２３〜１２７よりも数ｄＢ高い電力レベルをもつ信号を与えられ得る。第３の利点は、電力制御を使用することが、セル中の任意の場所にある遠隔局１２３〜１２７がペアリングされることを可能にすることである。
【０１２４】
同じ電力レベルでの信号の送信
ＤＡＲＰ対応移動局１２３〜１２７は、好ましくは、一方のモバイルが近接し、他方が離れているかどうかにかかわらず、同じ振幅で信号を受信し得る。たとえば、１つの基地局１１０、１１１、１１４によって２つの信号が１つのモバイル１２３〜１２７に送信されるとき、ＢＳ１１０、１１１、１１４から特定のモバイル、たとえば、モバイル１２３へのそれらの信号の経路損失は同じであり得る。同様に、ＢＳ１１０、１１１、１１４からモバイル１２４への２つの信号の経路損失は互いに同じであり得る。これは、それらの信号が同じ周波数およびタイムスロットを共有するので発生する。
【０１２５】
異なる電力レベルでの信号の送信
しかしながら、一例では、２つのＭＵＲＯＳのペアリングされた遠隔局１２３〜１２７は異なる経路損失を有し得る。したがって、それらの信号電力レベルは異なり得る。したがって、ＢＳ１１０、１１１、１１４は、電力不均衡（たとえば、＋１０ｄＢ〜−１０ｄＢ）をもつＭＵＲＯＳ信号を送信し得る。
【０１２６】
ＤＡＲＰ対応および非ＤＡＲＰ対応機器の使用
本方法および装置の別の機能は、ＤＡＲＰ機能またはＭＵＲＯＳ機能を有しないレガシー遠隔局１２３〜１２７によるＭＵＲＯＳ信号の使用である。本方法および装置は、非ＤＡＲＰ遠隔局１２３〜１２７が、同じチャネル上で送信される２つのＭＵＲＯＳ信号のうちの１つを使用することを可能にする。これは、非ＤＡＲＰ遠隔局１２３〜１２７に向けられた信号の振幅が、他のＭＵＲＯＳ信号の振幅よりも十分に大きくなるようにすることによって達成される。非ＤＡＲＰ遠隔局１２３〜１２７は、その無線アクセス機能指示メッセージの一部としてＤＡＲＰ機能を指示する必要がなく、遠隔局１２３〜１２７は、ＭＵＲＯＳクラスマークを示すことを要求されない。そのような振幅不均衡が許容できる状況において、または第１のＭＵＲＯＳ遠隔局１２３〜１２７とのペアリングに好適である第２のＭＵＲＯＳ遠隔局１２３〜１２７が識別され得ない状況において、ＭＵＲＯＳ遠隔局１２３〜１２７をレガシー遠隔局１２３〜１２７とペアリングすることが望ましい。
【０１２７】
２つの信号を異なる振幅で送信することの１つの理由は、２つの遠隔局１２３〜１２７のうちの一方がＤＡＲＰ対応でなく、他方がＤＡＲＰ対応である状況を考慮することであることになる。非ＤＡＲＰ対応遠隔局１２３〜１２７は、より多くの電力／振幅を有する信号を供給され得る。（一例では、トレーニング系列と、非ＤＡＲＰ移動局１２３〜１２７における（ＤＡＲＰ遠隔局１２３〜１２７のための）他の信号の干渉の対応する程度とに応じて３〜８ｄＢ多い電力）
遠隔局１２３〜１２７の（１つまたは複数の）範囲は、ＭＵＲＯＳペアリングのための遠隔局１２３〜１２７を選択するための基準である。経路損失（たとえば、ＲＦ環境）は、最悪の経路損失を有する遠隔局１２３〜１２７に送信される信号のために選択される振幅を判断するために使用される別の基準である。これはまた、より適合するペアがない場合、ＢＳ１１０、１１１、１１４の近くの遠隔局は、単に許容できる誤り率のために必要な電力よりも多くの電力を与えられ得るので、ペアリングの可能性に、遠隔局１２３〜１２７の（ロケーションに関する）より広い範囲を与える。遠隔局１２３〜１２７の理想的に適合するペアは、同様の振幅の信号を使用するペアであろう。
【０１２８】
上述のように、ＢＳ１１０、１１１、１１４は、各遠隔局１２３〜１２７がその感度限界を上回るその希望信号を受信するように、２つの信号を送信することが好ましい。（一例では、その希望信号は、その感度限界を少なくとも６ｄＢ上回る）。非ＤＡＲＰ遠隔局１２３〜１２７が感度限界に近接する場合、対応するＤＡＲＰのペアリングされた遠隔局１２３〜１２７は、基地局１１０、１１１、１１４により近接し、すなわち、したがって、より少ない経路損失を有するように選択され得、さもなければ、その信号が他の信号の振幅よりも低い振幅で受信されるので、ＤＡＲＰ対応遠隔局１２３〜１２７はその信号を失い得る。また、非ＤＡＲＰ対応遠隔局１２３〜１２７が本方法および装置のＭＵＲＯＳ対応機器を使用しているときのパフォーマンスを向上させるように遠隔局１２３〜１２７を適合させるために、様々なコーデックが使用され得る。
【０１２９】
２つの信号の送信
２つの手法のうちの１つを使用して基地局１１０、１１１、１１４によって２つの信号が送信され得る。（他の手法も可能であり得る）。２つの代替表現または代替例では、異なる振幅、すなわち、第１の信号の場合はＡ1、第２の信号の場合はＡ2をもつ２つのＧＭＳＫ信号が合成され得る。振幅の比（または振幅比）は、２つの送信（および受信）信号の振幅の比に対応する。ＢＳ１１０、１１１、１１４と所与の遠隔局１２３〜１２７との間の経路損失は、ＢＳ１１０、１１１、１１４によって送信された２つの信号に関して同じまたはほぼ同じである可能性がある。上記で説明されたように、ＢＳ１１０、１１１、１１４は、好適な振幅で信号を送信し、その結果、本方法および装置の各遠隔局１２３〜１２７は十分に高い振幅でそれ自体の信号を受信し、２つの信号は、２つのＴＳＣに対応する２つの信号が検出され得るような振幅比を有する。信号は、両方とも、（ただ１つのタイムスロットおよびただ１つの周波数を備える）同じチャネル上で基地局１１０、１１１、１１４のうちの１つの送信機によって送信され得、両方の信号は、上記の振幅比で第１の遠隔局１２３〜１２７の受信機によって受信され、両方の信号は、同じ振幅比で第２の遠隔局１２３〜１２７の受信機によって受信される。振幅の比は、Ａ1で除算されたＡ2の積、またはＡ2で除算されたＡ1の積として表され得る。その比は、２０＊ｌｏｇ１０（Ａ2／Ａ1）、または２０＊ｌｏｇ１０（Ａ1／Ａ2）としてデシベルで表される。その比は、調整され得、優先的に、実質的に０ｄＢ、または実質的に８ｄＢと１０ｄＢとの間のいずれかの大きさを有する。その比は、１よりも小さいかまたは１よりも大きいことがあり得、したがって、ｄＢで表される比は、相応して正または負であり得る。
【０１３０】
第１の手法または例では、図２１Ａに示される流れ図に従ってステップが実行され得る。各々が、異なる信号距離と環境とによる減衰をオフセットするように選択されたそれぞれの電力レベルをもつ２つの信号は、ＧＭＳＫ変調され（ステップ２１１０）、互いに加算され（ステップ２１４０）得る。すなわち、各信号は、それ自体の利得を乗算される（ステップ２１３０）。利得は、２つの信号の正しい振幅（したがって、電力）比を生じる比Ｒ＝Ａ２／Ａ１になるように選択され得る。これは、上述の８〜１０ｄＢの比を生じるものである。両方の遠隔局がＤＡＲＰ対応である場合、一例では、比が１（０ｄＢ）であることが選好される。一方の遠隔局１２３〜１２７がＤＡＲＰ対応であり、他方が非ＤＡＲＰ対応である場合、一例では、比が非ＤＡＲＰ対応遠隔局１２３〜１２７のほうを優先して８〜１０ｄＢであることが選好される。これは差分電力制御と呼ばれることがあり、ベースバンドまたはＲＦのいずれか、あるいは両方において実装され得る。最も高い振幅を必要とする遠隔局１２３〜１２７の範囲、経路損失を考慮するために（たとえば、遠隔局１２３〜１２７は、さらに離れていることがあり得る）、さらなる（共通）電力制御が両方の信号に等しく適用され得る。この追加の電力制御は、部分的にベースバンドにおいて、部分的にＲＦにおいて、またはＲＦのみにおいて適用され得る。ベースバンドにおいて、共通電力制御は、利得Ａ１およびＡ２の等しいスケーリング、たとえば、それらに１．５を乗算することによって両方の信号に適用される。ＲＦにおける共通電力制御は、通常、電力増幅器（ＰＡ）１８３０中で実行される。それはまた、ＲＦ変調器１８２５中で部分的に実行され得る。
【０１３１】
また、信号のうちの１つは、他の信号に対してπ／２だけ位相シフトされ得る。π／２位相シフトは、図２１Ａのステップ２１２０として示され、図１５、図１６、および１９のブロック１８１０中、ならびに図１７および図１８のブロック１８１８および１８１９中に示されている。加算された信号は、次いで送信される（ステップ２１５０）。例示的な装置が図１５に示されている。好ましくは、２つの信号のうちの１つは、送信より前に、好ましくは９０度、すなわち、π／２ラジアンだけ他の信号に対して位相シフトされる。しかしながら、本方法および装置は、０位相シフトを含む信号間の任意の位相シフトを用いて動作し得る。３つ以上の信号が送信される場合、各信号は他の信号から位相オフセットされ得る。たとえば、３つの信号の場合、各々は１２０度だけ他の信号からオフセットされ得る。図２１Ａでは、位相シフトするステップと、利得によって増幅するステップとは、図２１Ａと比較して図２１Ｃのフローチャート中でステップ２１２０と２１３０の順序が逆になって示されているように、どちらの順序でも行われ得る。図１５は、２つの信号を合成するための装置を開示する。本装置は、少なくとも１つの入力と少なくとも１つの出力とを有し、それにより信号が変調される、２つのＧＭＳＫベースバンド変調器１８０５を備える。１つの増幅器１８１５は各ＧＭＳＫ変調器１８０５と直列に接続され、それにより、２つの信号は、それぞれの振幅、すなわち、第１の信号の場合はＡ1、第２の信号の場合はＡ2を乗算され、Ａ１はｃｏｓαに等しく、Ａ２はｓｉｎαに等しい。各増幅器１８１５の出力はコンバイナ（加算器）１８２０中で合成され、位相シフタ１８１０は、好ましくは、前記信号のうちの１つが他の信号に対して位相シフトされるように、ベースバンド変調器１８０５と増幅器１８１５との直列結合のうちの１つの間に動作可能に接続される。コンバイナ１８２０の出力は、ＲＦ変調器／電力増幅器モジュール１８２３に入力され、それにより合成信号が変調され、送信される。ＲＦ変調されることによって、信号がベースバンドからＲＦ周波数にアップコンバートされることが意味される。位相シフタ１８１０は、１つの増幅器１８１５とコンバイナ１８２０との間に動作可能に接続され得ることに留意されたい。
【０１３２】
図１６〜図１８は、異なる振幅をもつ２つの信号を合成し、送信するための装置の第２、第３および第４の例を開示する。図１６では、ＲＦ変調器および電力増幅器１８２３は、ＲＦ変調器１８２５と電力増幅器１８３０との直列接続によって表される。図１７に示す例は、ＧＭＳＫベースバンド変調器１８０５と１つのＲＦ変調器１８６２との使用を示す。第１および第２のデータはベースバンド変調器１８０５によってベースバンド変調される。ベースバンド変調器１８０５は、それぞれ、差分符号器と、積分器と、ガウス低域フィルタ１８１１とを備える。それぞれのベースバンド変調器１８０５の出力は、それぞれ、ＧＭＳＫ変調信号の位相（第１の信号の場合はφ（ｔ）、第２の信号の場合はφ’（ｔ））を表すデジタル値である。ブロック１８１６は、ブロック１８１６の出力において出力信号Ａ１ｃｏｓφ（ｔ）を与えるために、第１の信号の前記位相のコサインを生成し、コサインに利得Ａ１を乗算する機能を備える。
【０１３３】
ブロック１８１８は、ブロック１８１８の出力において出力信号Ａ２ｃｏｓ（φ’（ｔ）＋９０）を与えるために、π／２ラジアン（９０度）の位相シフトを第２の信号の位相に加算し、得られた位相のコサインを生成し、コサインに利得Ａ２を乗算する機能を備える。
【０１３４】
ブロック１８１７は、ブロック１８１７の出力において出力信号Ａ１ｓｉｎφ（ｔ）を与えるために、第１の信号の前記位相のサインを生成し、サインに利得Ａ１を乗算する機能を備える。
【０１３５】
ブロック１８１９は、ブロック１８１９の出力において出力信号Ａ２ｃｏｓ（φ’（ｔ）＋９０）を与えるために、π／２ラジアン（９０度）の位相シフトを第２の信号の位相に加算し、得られた位相のサインを生成し、サインに利得Ａ２を乗算する機能を備える。
【０１３６】
ブロック１８１６および１８１８の出力は、合計されたＩ（同相）ＧＭＳＫ変調ベースバンド信号を生成するために、コンバイナ１８０７によって合計／合成される。ブロック１８１７および１８１９の出力は、合計されたＱ（直交位相）ＧＭＳＫ変調ベースバンド信号を生成するために、コンバイナ１８２７によって合計／合成される。
【０１３７】
好ましくは、図示のように、ブロック１８１６〜１８１９、１８０７および１８２７中のすべての演算および信号はデジタルであり、したがって、コンバイナ１８０７、１８２７の出力もデジタル値である。代替的に、機能の一部は、デジタルアナログ変換などを使用してアナログ回路によって実行され得る。
【０１３８】
コンバイナ１８０７、１８２７から出力された合計されたＧＭＳＫ変調ベースバンドデジタル信号は、それぞれ、デジタルアナログ変換器（ＤＡＣまたはＤ／Ａ）１８５０、１８５２に入力され、ＲＦ変調器１８６２へのＩ入力およびＱ入力を形成するために、適切に低域フィルタ処理され（フィルタは図示せず）、ＲＦ変調器１８６２は、送信信号を形成するために、ベースバンド信号を、局部発振器４２１によって与えられたキャリア周波数上にアップコンバートする。
【０１３９】
図１８に示す例は、２つのＧＭＳＫベースバンド変調器１８０５と２つのＲＦ変調器１８６２、１８６４との使用を示す。各ＲＦ変調器１８６２、１８６４、すなわち、それぞれ第１および第２のデータの各々に対して１つのＲＦ変調器１８６２、１８６４の出力は、送信のためにコンバイナ１８２８中で互いに合計／合成される。図１７および図１８は、各々が、差分符号器１８０７と、前記差分符号器１８０７に動作可能に接続された積分器１８０９と、前記積分器１８０９に動作可能に接続されたガウス低域フィルタ１８１１とを備える、２つのＧＭＳＫベースバンド変調器１８０５を開示する。
【０１４０】
図１８および図１９では、スプリッタ１８１２の出力によって、−π／２位相シフトがｌｏ信号に導入される。したがって、ＬＯは、同相および直交位相に分割され、２つのミキサ／乗算器１８４０〜１８４４、１８４８の各々に入力される。
【０１４１】
図１９は、両方のユーザのデータをＱＰＳＫコンスタレーションのＩ軸およびＱ軸上にそれぞれマッピングすることによって２つの信号を合成する（ステップ２１８０）ための代替手法または代替例を示す。この手法によれば、ユーザ１および２のデータは、ＱＰＳＫコンスタレーションのそれぞれＩ軸およびＱ軸にマッピングされ（ステップ２１７０）、各ユーザの信号電力レベルが、Ａ1およびＡ2利得によって判断され（ステップ２１７５）、（あらゆるシンボルに対するＥＧＰＲＳ  ３π／８回転のような、ただし、３π／８の代わりにπ／２を用いて）あらゆるシンボルに対するπ／２の漸進的な位相回転が行われる（ステップ２１７７）。（ユーザ１のための）Ｉ信号の増幅器利得は、アルファαのコサインに等しいＡ1である。Ｑ信号の増幅器利得は、アルファのサインに等しいＡ2である。アルファは、タンジェントが振幅比である角度である。ベースバンド変調器１８０５は、Ｉ軸上で表される第１の信号のための２値位相シフトキーイング（ＢＰＳＫ）ベースバンド変調器１８０５と、Ｑ軸上で表される第２の信号のためのＢＰＳＫベースバンド変調器１８０５とを備える。図１９の位相回転子１８２０に入力された送信Ｉ信号およびＱ信号は、ＧＳＭ（登録商標）スペクトラムマスク基準を満たすために、（たとえば、ＥＧＰＲＳ  ８ＰＳＫ変調とともに使用する）線形ガウスフィルタまたはパルス整形フィルタ１８２１によって、位相シフト（ステップ２１７７）の前または後にフィルタ処理され得る（ステップ２１８５）。図１９は、前記位相回転子１８２０とＲＦ変調器／電力増幅器１８２３との間に動作可能に接続された好適なパルス整形フィルタ１８２１を示す。ＲＦ変調器およびＰＡブロック１８２３は、アンテナを介した送信のために、合成されたＩ信号およびＱ信号をＲＦ変調し、増幅するように働く。
【０１４２】
図２０にＱＰＳＫコンスタレーション図が示されている。
【０１４３】
２つの手法（ＧＭＳＫベースまたはＱＰＳＫベース）において実行されるステップが、それぞれ図２１Ａおよび図２１Ｂのフローチャートに開示されている。図２１Ａでは、位相シフトするステップと、利得によって増幅するステップとは、図２１Ａのフローチャートと比較してステップ２１２０と２１３０の順序が逆になっている図２１Ｃに示されているように、どちらの順序でも行われ得る。
【０１４４】
どちらの手法の場合も、ＭＵＲＯＳ対応ＢＳ１１０、１１１、１１４がダウンリンクチャネル上でＲＦバーストを送信するとき、ＢＳ１１０、１１１、１１４は２つのパラメータを制御する。
【０１４５】
第１に、ＩデータストリームおよびＱデータストリームが正規化され、これは、使用されるデジタルアナログコントローラ（ＤＡＣ）１８５０、１８５２の分解能およびダイナミックレンジを向上させる。
【０１４６】
第２に、Ｉ信号とＱ信号の両方を含んでいる信号バーストのために使用される電力レベルが制御される。これは、電力増幅器（ＰＡ）の利得を判断するために使用される（下記参照）。
【０１４７】
以下は、本方法および装置を使用するために、レガシー基地局に比較して、ＭＵＲＯＳ対応基地局によって行われ得る追加のステップである。簡略流れ図については図２２を参照されたい。
【０１４８】
第１に、両方の同一ＴＣＨ発呼者のために使用される電力レベル、たとえば、それぞれユーザ１の場合は電力レベル１、Ｐ１、ユーザ２の場合は電力レベル２、Ｐ２を導出するために、２つの信号の経路損失を使用する（この例では、電力レベルはｄＢｍではなく、ワットで表される）（ステップ２２１０）。
【０１４９】
第２に、２つの電力レベルの振幅比Ｒを計算する（ステップ２２２０）。
【数１】
0005394491.tif 000006
【０１５０】
第３に、２つのユーザまたは発呼者、それぞれユーザ１およびユーザ２の利得Ｇ１およびＧ２を判断する（ステップ２２３０）。一例では、ユーザ１の場合はＧ１＝Ａ1＝ｃｏｓ（α）であり、ユーザ２の場合はＧ２＝Ａ2＝ｓｉｎ（α）であり、α＝アークタンジェント（Ｒ）である。また、Ａ2／Ａ1＝ｓｉｎ（α）／ｃｏｓ（α）＝ｔａｎ（α）＝Ｒである。
【０１５１】
第４に、電力レベルを考慮することによって、電力増幅器の利得を判断する。
【０１５２】
Ｐ＝Ｐ１＋Ｐ２（ステップ２２４０）
本方法および装置は、異なる位相および電力レベルを有し得る２つの信号を合成し、その結果、１）各ユーザは、不要な信号が希望信号に対する許容できない干渉を生じるであろう振幅よりも、不要な信号の振幅が小さいような不要な信号と一緒に、必要とされる振幅を有する希望信号を受信し得る。これは、別のセル中の他の信号と干渉し得る過大な振幅を回避し得る。しかしながら、場合によっては、（基地局１１０、１１１、１１４により近いので、より低い電力が使用される）低電力遠隔局１２３〜１２７は、基地局１１０、１１１、１１４からさらに離れた遠隔局１２３〜１２７とペアリングするために、代わりに（遠隔局１２３〜１２７が必要とするよりも多くの）より高い電力を有することができる。変調「アイダイヤグラム」のゼロ交差が回避され得、これは、ＡＭ−ＰＭ変換ひずみおよび低い信号対雑音比（ＳＮＲ）を回避するのに役立ち得る。さらに、非ＤＡＲＰ対応またはＤＡＲＰ対応のレガシー（非ＭＵＲＯＳ）遠隔局は、ＭＵＲＯＳ対応ネットワーク、すなわち、基地局１１０、１１１、１１４または基地局コントローラ１４０〜１４３とともに使用され得る。
【０１５３】
この方法は、図２３に示されるＢＴＳ中でプロセッサ９６０によって実行される実行可能命令として、メモリ９６２に記憶されたソフトウェアに記憶され得る。この方法はまた、ＢＳＣ１４０〜１４３中でプロセッサによって実行される実行可能命令として、メモリに記憶されたソフトウェアに記憶され得る。遠隔局１２３〜１２７は、それが使用するように命令されたＴＳＣを使用する。
【０１５４】
シグナリング
シグナリングチャネルは、良好なコーディングおよびＦＥＣ機能を有するので、所望の信号を検出するために最小信号品質のみを必要とする。それよりも高い信号電力レベルは、電力を浪費し、他の遠隔局１２３〜１２７に対する干渉を生じるであろう。このようにして、各通信は、所望の信号の検出を可能にするために、ＦＥＣによって処理され得る許容できるＢＥＲを維持しながら、ネットワーク中の別の遠隔局１２３〜１２７に対する干渉を最小限に抑えるために電力レベルを低下させることになる。
【０１５５】
本方法および装置の利益（図３６中のフローチャートのステップ１７１０参照）、（図３６中のフローチャートのステップ１７２０参照）は、
ネットワーク全体にわたって不要な干渉を最小限に抑えることと、
ネットワークにおいて様々なユーザのための信号間の過剰な干渉を回避することと、ネットワークが潜在的な増加された容量をサポートすることを可能にすることと、
ネットワークがより多くの呼をサポートし、改善された容量を達成することを可能にすることと、
バッテリー寿命を節約し、通信時間およびスタンバイ時間を延長することとを含む。
【０１５６】
１つまたは複数の例示的な実施形態では、説明された機能はハードウェア、ソフトウェア、ファームウェア、またはそれらの任意の組合せで実装され得る。ソフトウェアで実装する場合、機能は、１つまたは複数の命令またはコードとしてコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスク記憶装置、磁気ディスク記憶装置または他の磁気記憶デバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【０１５７】
本明細書で説明された方法は、様々な手段によって実装され得る。たとえば、これらの方法は、ハードウェア、ファームウェア、ソフトウェア、またはそれらの組合せで実装され得る。ハードウェア実装の場合、ＡＣＩを検出し、ＩサンプルおよびＱサンプルをフィルタ処理し、ＣＣＩを除去するなどのために使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明された機能を実行するように設計された他の電子ユニット、コンピュータ、またはそれらの組合せの中で実装され得る。
【０１５８】
本開示の前述の説明は、当業者が本開示を実施または使用できるようにするために提供されるものである。本開示への様々な変更は当業者には容易に明らかになり、本明細書で定義された一般的原理は、本開示の趣旨または範囲から逸脱することなく他の変形形態に適用され得る。したがって、本開示は、本明細書で説明された例に限定されるものではなく、本明細書で開示された原理および新規の特徴に一致する最も広い範囲を与えられるべきである。
【０１５９】
情報および信号は様々な異なる技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６０】
さらに、本明細書で開示された実施形態に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本発明の範囲からの逸脱を生じるものと解釈されるべきではない。
【０１６１】
本明細書で開示された実施形態に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明された機能を実行するように設計されたそれらの任意の組合せを用いて実装または実行され得る。汎用プロセッサはマイクロプロセッサとし得るが、代替として、プロセッサは、任意の従来のプロセッサ、コントローラ、マイクロコントローラ、または状態機械とし得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１６２】
本明細書で開示された実施形態に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバブルディスク、ＣＤ−ＲＯＭ、または当技術分野で知られている任意の他の形態の記憶媒体に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣに常駐し得る。ＡＳＩＣはユーザ端末に常駐し得る。代替として、プロセッサおよび記憶媒体は、個別構成要素としてユーザ端末に常駐し得る。
【０１６３】
したがって、本発明は、以下の特許請求の範囲によって限定される以外は、限定されるものではない。
以下に、本願出願の当初の特許請求の範囲に記載された発明を付記する。
［Ｃ１］
２つの信号を合成する方法であって、
前記信号を変調することと、
前記信号に利得を乗算することと、
前記信号を位相シフトすることと、
前記信号を互いに加算することと、
前記加算された信号を送信することと
を備える、方法。
［Ｃ２］
前記利得は、Ａ2がＡ1で除算された結果を備える振幅の比であり、Ａ1が前記第１の信号の前記振幅であり、Ａ2が前記第２の信号の前記振幅である、Ｃ１に記載の方法。
［Ｃ３］
前記位相シフトすることが、前記信号のうちの１つを、前記信号のあらゆるＩおよびＱに対してπ／２だけ位相シフトすることを備える、Ｃ１に記載の方法。
［Ｃ４］
前記信号をＩ軸およびＱ軸にマッピングすることと、
前記信号をフィルタ処理することと
をさらに備える、Ｃ１に記載の方法。
［Ｃ５］
デシベルで表される前記比が、２０＊ｌｏｇ１０（Ａ2／Ａ1）であり、デシベルで表される前記比が８〜１０ｄＢであり得、前記第２の信号が非ＤＡＲＰ対応前記遠隔局１２３〜１２７へのものであり、前記第１の信号がＤＡＲＰ対応遠隔局１２３〜１２７へのものである、Ｃ２に記載の方法。
［Ｃ６］
２つの信号がＱＰＳＫコンスタレーションのＩ軸およびＱ軸にマッピングされ、あらゆるシンボルに対するπ／２の漸進的な位相回転が行われる、Ｃ４に記載の方法。
［Ｃ７］
前記利得は、Ａ2がＡ1で除算された結果を備える振幅の比であり、Ａ1が、αのコサインに等しい前記Ｉ信号の前記振幅であり、Ａ2が、αのサインに等しい前記Ｑ信号の前記振幅である、Ｃ４に記載の方法。
［Ｃ８］
新しい接続をセットアップすることと、
既存の接続と共有すべき前記新しい接続のためのチャネル周波数４１１上の使用済みのタイムスロット４１２を選択することと、
前記既存の接続のトレーニング系列４０４とは異なる、前記新しい接続のためのトレーニング系列４０５を選択することと、
１つの基地局１１４によって前記同じチャネル周波数４１１上の前記同じタイムスロット４１２で前記トレーニング系列４０４と前記トレーニング系列４０５の両方を使用することと
を備える、シングルチャネル上で信号を共有することをさらに備える、Ｃ４に記載の方法。
［Ｃ９］
第１のデータ４２４および第２のデータ４２５を発生することと、
第１のトレーニング系列４０４および第２のトレーニング系列４０５を発生することと、
第１の合成データ４０８を生成するために前記第１のトレーニング系列４０４を前記第１のデータ４２４と合成することと、第２の合成データ４０９を生成するために前記第２のトレーニング系列４０５を前記第２のデータ４２５と合成することと、
第１の送信信号４１３および第２の送信信号４１４を生成するために、同じチャネル周波数４１１および同じタイムスロット４１２を使用して、前記第１の合成データ４０８と前記第２のデータ合成データ４０９の両方を変調し、送信することと、
１つの基地局１１４によって前記同じチャネル周波数４１１上の前記同じタイムスロット４１２で前記トレーニング系列４０４と前記トレーニング系列４０５の両方を使用することと
を備える、チャネルを共有する第１の信号および第２の信号を生成することをさらに備える、Ｃ４に記載の方法。
［Ｃ１０］
前記加算された信号をフィルタ処理する前記ステップが、ＧＳＭ（登録商標）スペクトルマスク基準を満たすために、ＥＧＰＲＳ  ８ＰＳＫ変調のために使用される線形ガウス前記フィルタを用いて、前記加算された信号をフィルタ処理することを備える、Ｃ７に記載の方法。
［Ｃ１１］
２つの信号を合成するための装置であって、
少なくとも１つの入力と少なくとも１つの出力とを有し、それにより前記信号が変調される、少なくとも１つのベースバンド変調器１８０５と、
入力と少なくとも１つの出力とを有する少なくとも１つの増幅器１８１５であって、前記少なくとも１つの入力が、前記少なくとも１つのベースバンド変調器１８０５の前記少なくとも１つの出力の前記出力に動作可能に接続され、それにより前記信号が利得を乗算される、少なくとも１つの増幅器１８１５と、
少なくとも１つの入力と少なくとも１つの出力とを有する少なくとも１つのコンバイナ１８２０であって、前記少なくとも１つの入力が、前記少なくとも１つの増幅器１８１５の前記少なくとも１つの出力に動作可能に接続され、それにより前記信号が合成される、少なくとも１つのコンバイナ１８２０と
を備える、装置。
［Ｃ１２］
少なくとも１つの入力と少なくとも１つの出力とを有するＲＦ変調器／電力増幅器１８２３であって、前記少なくとも１つの入力が、前記コンバイナ１８２０の前記少なくとも１つの出力に動作可能に接続され、それにより前記信号が送信される、ＲＦ変調器／電力増幅器１８２３をさらに備える、Ｃ１１に記載の、２つの信号を合成するための装置。
［Ｃ１３］
前記コンバイナ１８２０の前記少なくとも１つの出力に動作可能に接続されたＲＦ変調器１８２５と電力増幅器１８３０との直列接続であって、それにより前記信号が送信される、直列接続をさらに備える、Ｃ１１に記載の、２つの信号を合成するための装置。
［Ｃ１４］
前記少なくとも１つの増幅器１８１５と前記少なくとも１つのベースバンド変調器１８０５との間に動作可能に接続された位相シフタ１８１０をさらに備える、Ｃ１１に記載の、２つの信号を合成するための装置。
［Ｃ１５］
前記少なくとも１つの増幅器１８１５と前記少なくとも１つのコンバイナ１８２０との間に動作可能に接続された位相シフタ１８１０をさらに備える、Ｃ１１に記載の、２つの信号を合成するための装置。
［Ｃ１６］
少なくとも１つの入力と少なくとも１つの出力とを有する前記少なくとも１つのベースバンド変調器１８０５が、ＧＭＳＫベースバンド変調器である、Ｃ１１に記載の、２つの信号を合成するための装置。
［Ｃ１７］
少なくとも１つの入力と少なくとも１つの出力とを有する前記少なくとも１つのベースバンド変調器１８０５が、Ｉ軸上のＢＰＳＫベースバンド変調器と、Ｑ軸上のＢＰＳＫベースバンド変調器とを備える、Ｃ１１に記載の、２つの信号を合成するための装置。
［Ｃ１８］
位相シフタ１８１０が、あらゆるシンボルに対するπ／２の漸進的な位相回転を用いて、前記信号のうちの１つを前記信号のうちの別の１つに対して位相シフトする、Ｃ１１に記載の、２つの信号を合成するための装置。
［Ｃ１９］
前記少なくとも１つのベースバンド変調器１８０５が、
差分符号器１８０７と、
前記差分符号器１８０９に動作可能に接続された積分器１８０９と、
前記積分器１８０９に動作可能に接続されたガウス低域フィルタ１８１１と
を備える、Ｃ１１に記載の、２つの信号を合成するための装置。
［Ｃ２０］
前記少なくとも１つの増幅器１８１５が、
利得Ａ1がαのコサインを乗算される、第１の増幅器１８１６と、
利得Ａ1がαのサインを乗算される、第２の増幅器１８１７と、
利得Ａ2がα＋π／２のコサインを乗算される、第３の増幅器１８１８と、
利得Ａ2がα＋π／２のサインを乗算される、第４の増幅器１８１９と
を備える、Ｃ１１に記載の、２つの信号を合成するための装置。
［Ｃ２１］
前記コンバイナ１８２０とＲＦ変調器／電力増幅器１８２３との間に動作可能に接続されたフィルタと、
前記少なくとも１つのベースバンド変調器１８０５に動作可能に接続された位相シフタ１８１０と
をさらに備える、Ｃ１１に記載の、２つの信号を合成するための装置。
［Ｃ２２］
前記少なくとも１つの増幅器１８１５が、
利得Ａ1がαのコサインを乗算される、第１の増幅器１８１６と、
利得Ａ1がαのサインを乗算される、第２の増幅器１８１７と、
利得Ａ2がα＋π／２のコサインを乗算される、第３の増幅器１８１８と、
利得Ａ2がα＋π／２のサインを乗算される、第４の増幅器１８１９と
を備える、Ｃ１９に記載の、２つの信号を合成するための装置。
［Ｃ２３］
少なくとも１つの入力と少なくとも１つの出力とを有する前記少なくとも１つのベースバンド変調器１８０５が、Ｉ軸上のＢＰＳＫベースバンド変調器と、Ｑ軸上のＢＰＳＫベースバンド変調器とを備える、Ｃ２２に記載の、２つの信号を合成するための装置。
［Ｃ２４］
前記フィルタが線形ガウスフィルタである、Ｃ２２に記載の、２つの信号を合成するための装置。
［Ｃ２５］
前記フィルタが線形ガウスフィルタである、Ｃ２３に記載の、２つの信号を合成するための装置。
［Ｃ２６］
発振器４３１と、前記発振器４３１に動作可能に接続され、入力と、位相シフトによって分離された第１および第２の出力とを有するスプリッタ１８１２と、各々が少なくとも１つの入力と少なくとも１つの出力とを有する複数の乗算器１８４０、１８４２、１８４４、１８４６とを備える、少なくとも１つのＲＦ変調器１８６２、１８６４をさらに備え、前記第１の乗算器１８４０の前記少なくとも１つの入力が、前記第１の増幅器１８１６の出力に動作可能に接続され、前記第２の乗算器１８４２の前記少なくとも１つの入力が、前記第２の増幅器１８１７の出力に動作可能に接続され、前記第３の乗算器１８４４の前記少なくとも１つの入力が、前記第３の増幅器１８１９の出力に動作可能に接続され、前記第４の乗算器１８４８の前記少なくとも１つの入力が、前記第４の増幅器１８１９の出力に動作可能に接続された、Ｃ２５に記載の、２つの信号を合成するための装置。
［Ｃ２７］
発振器４３１と、前記発振器４３１に動作可能に接続され、入力と、位相シフトによって分離された第１および第２の出力とを有するスプリッタ１８１２と、各々が少なくとも１つの入力と少なくとも１つの出力とを有する複数の乗算器１８４０、１８４２、１８４４、１８４６とを備える、少なくとも１つのＲＦ変調器１８６２、１８６４をさらに備え、
第１の前記乗算器１８４０が、前記第１の増幅器１８１６に動作可能に接続された前記少なくとも１つの入力と、前記スプリッタ１８１２の−π／２出力とを有し、第１のコンバイナ１８２６の１つの入力に動作可能に接続された前記少なくとも１つの出力を有し、
第２の前記乗算器１８４２が、前記第２の増幅器１８１７に動作可能に接続された前記少なくとも１つの入力と、前記スプリッタ１８１２の０度出力とを有し、前記第１のコンバイナ１８２６の別の入力に動作可能に接続された前記少なくとも１つの出力を有し、
第３の前記乗算器１８４４が、前記第３の増幅器１８１８に動作可能に接続された前記少なくとも１つの入力と、前記スプリッタ１８１２の前記−π／２出力とを有し、第２の前記コンバイナ１８２７の１つの入力に動作可能に接続された前記少なくとも１つの出力を有し、
第４の前記乗算器１８４６が、前記第４の増幅器１８１９に動作可能に接続された前記少なくとも１つの入力と、前記スプリッタ１８１２の前記０度出力とを有し、前記第２のコンバイナ１８２７の前記別の入力に動作可能に接続された前記少なくとも１つの出力を有し、
第３のコンバイナ１８２８が、少なくとも１つの入力と少なくとも１つの出力とを有し、前記少なくとも１つの入力が、前記第１のコンバイナ１８２６と前記第２のコンバイナ１８２７との前記出力に動作可能に接続された、Ｃ２５に記載の、２つの信号を合成するための装置。
［Ｃ２８］
前記少なくとも１つのコンバイナ１８２０が、少なくとも１つの入力と少なくとも１つの出力とを有する第１のコンバイナ１８２６を備え、前記少なくとも１つの入力が、前記第１の増幅器１８１６および前記第３の増幅器１８１８に動作可能に接続され、第２のコンバイナ１８２７が、少なくとも１つの入力と少なくとも１つの出力とを有し、前記少なくとも１つの入力が、前記第２の増幅器１８１７および前記第４の増幅器１８１９に動作可能に接続され、
２つの信号を合成するための前記装置が、
複数の入力と複数の出力とを有するＲＦ変調器１８６２と、
前記第１のコンバイナ１８２６の前記少なくとも１つの出力と、前記ＲＦ変調器１８６２の１つの入力との間に動作可能に接続された第１のデジタルアナログ変換器１８５０と、
前記第２のコンバイナ１８２７の前記少なくとも１つの出力と、前記ＲＦ変調器１８６２の別の入力との間に動作可能に接続された第２の前記デジタルアナログ変換器１８５２と、
少なくとも１つの入力と少なくとも１つの出力とを有する第３のコンバイナ１８２８であって、前記少なくとも１つの入力が、前記ＲＦ変調器１８６２の前記出力に動作可能に接続された、第３のコンバイナ１８２８と
をさらに備える、Ｃ２５に記載の、２つの信号を合成するための装置。
［Ｃ２９］
前記ＲＦ変調器１８６２が、発振器４３１と、前記発振器４３１に動作可能に接続された入力と−π／２出力および０度出力とを有するスプリッタ１８１２と、複数の乗算器１８４１、１８４３とを備え、前記スプリッタ１８１２の前記−π／２出力が、前記第１の乗算器１８４１の１つの入力に動作可能に接続され、前記スプリッタ１８１２の前記０度出力が、前記第２の乗算器１８４３の別の入力に動作可能に接続された、Ｃ２８に記載の、２つの信号を合成するための装置。
［Ｃ３０］
基地局９２０であって、
コントローラプロセッサ９６０と、
アンテナ９２５と、
前記基地局アンテナ９２５に動作可能に接続されたデュプレクサスイッチ９２６と、
前記デュプレクサスイッチ９２６に動作可能に接続された受信機フロントエンド９２４と、
前記受信機フロントエンド９２４に動作可能に接続された受信機復調器９２３と、
前記受信機復調器９２３および前記コントローラプロセッサ９６０に動作可能に接続されたチャネル復号器およびデインターリーバ９２２と、
前記コントローラプロセッサ９６０に動作可能に接続された基地局コントローラインターフェース９２１と、
前記コントローラプロセッサ９６０に動作可能に接続されたコーダおよびインターリーバ９２９と、
前記コーダおよびインターリーバ９２９に動作可能に接続された送信機変調器９２８と、
前記送信機変調器９２８に動作可能に接続され、前記デュプレクサスイッチ９２６に動作可能に接続された送信機フロントエンドモジュール９２７と、
前記コントローラプロセッサ９６０と、前記チャネル復号器およびデインターリーバ９２２と、前記受信機復調器９２３と、前記受信機フロントエンド９２４と、前記送信機変調器９２８と、前記送信機フロントエンド９２７との間に動作可能に接続されたデータバス９７０と、
２つの信号を合成するための装置であって、
少なくとも１つの入力と少なくとも１つの出力とを有し、それにより前記信号が変調される、少なくとも１つのベースバンド変調器１８０５と、
入力と少なくとも１つの出力とを有する少なくとも１つの増幅器１８１５であって、前記少なくとも１つの入力が、前記少なくとも１つのベースバンド変調器１８０５の前記少なくとも１つの出力の前記出力に動作可能に接続され、それにより前記信号が利得を乗算される、少なくとも１つの増幅器１８１５と、
少なくとも１つの入力と少なくとも１つの出力とを有する少なくとも１つのコンバイナ１８２０であって、前記少なくとも１つの入力が、前記少なくとも１つの増幅器１８１５の前記少なくとも１つの出力に動作可能に接続され、それにより前記信号が合成される、少なくとも１つのコンバイナ１８２０と
を備える、装置と
を備える、基地局９２０。
［Ｃ３１］
少なくとも１つの入力と少なくとも１つの出力とを有するＲＦ変調器／電力増幅器１８２３であって、前記少なくとも１つの入力が、前記コンバイナ１８２０の前記少なくとも１つの出力に動作可能に接続され、それにより前記信号が送信される、ＲＦ変調器／電力増幅器１８２３をさらに備える、Ｃ３０に記載の基地局９２０。
［Ｃ３２］
前記コンバイナ１８２０の前記少なくとも１つの出力に動作可能に接続されたＲＦ変調器１８２５と電力増幅器１８３０との直列接続であって、それにより前記信号が送信される、直列接続をさらに備える、Ｃ３０に記載の基地局９２０。
［Ｃ３３］
前記少なくとも１つの増幅器１８１５と前記少なくとも１つのベースバンド変調器１８０５との間に動作可能に接続された位相シフタ１８１０をさらに備える、Ｃ３０に記載の基地局９２０。
［Ｃ３４］
前記少なくとも１つの増幅器１８１５と前記少なくとも１つのコンバイナ１８２０との間に動作可能に接続された位相シフタ１８１０をさらに備える、Ｃ３０に記載の基地局９２０。
［Ｃ３５］
少なくとも１つの入力と少なくとも１つの出力とを有する前記少なくとも１つのベースバンド変調器１８０５が、ＧＭＳＫベースバンド変調器である、Ｃ３０に記載の基地局９２０。
［Ｃ３６］
少なくとも１つの入力と少なくとも１つの出力とを有する前記少なくとも１つのベースバンド変調器１８０５が、Ｉ軸上のＢＰＳＫベースバンド変調器と、Ｑ軸上のＢＰＳＫベースバンド変調器とを備える、Ｃ３０に記載の基地局９２０。
［Ｃ３７］
位相シフタ１８１０が、あらゆるシンボルに対するπ／２の漸進的な位相回転を用いて、前記信号のうちの１つを前記信号のうちの別の１つに対して位相シフトする、Ｃ３０に記載の基地局９２０。
［Ｃ３８］
前記少なくとも１つのベースバンド変調器１８０５が、
差分符号器１８０７と、
前記差分符号器１８０９に動作可能に接続された積分器１８０９と、
前記積分器１８０９に動作可能に接続されたガウス低域フィルタ１８１１と
を備える、Ｃ３０に記載の基地局９２０。
［Ｃ３９］
前記少なくとも１つの増幅器１８１５が、
利得Ａ1がαのコサインを乗算される、第１の増幅器１８１６と、
利得Ａ1がαのサインを乗算される、第２の増幅器１８１７と、
利得Ａ2がα＋π／２のコサインを乗算される、第３の増幅器１８１８と、
利得Ａ2がα＋π／２のサインを乗算される、第４の増幅器１８１９と
を備える、Ｃ３０に記載の基地局９２０。
［Ｃ４０］
前記コンバイナ１８２０とＲＦ変調器／電力増幅器１８２３との間に動作可能に接続されたフィルタと、
前記少なくとも１つのベースバンド変調器１８０５に動作可能に接続された位相シフタ１８１０と
をさらに備える、Ｃ３０に記載の基地局９２０。
［Ｃ４１］
複数のデータソース４０１と、
複数の出力を有する少なくとも１つの系列発生器４０３と、
各々が複数の入力と少なくとも１つの出力とを有する複数のコンバイナ４０６、４０７であって、前記入力のうちの第１の入力が、前記データソース４０１のうちの１つの前記出力のうちの１つに動作可能に接続され、前記入力のうちの第２の入力が、前記系列発生器４０３の前記出力のうちの１つに動作可能に接続され、それにより少なくとも１つのトレーニング系列４０４が、少なくとも１つの合成データ４０８を生成するために、少なくとも１つのデータ４２４と合成される、複数のコンバイナ４０６、４０７と、
複数の入力と少なくとも１つの出力とを有する前記送信機変調器９２８と
をさらに備える、Ｃ３０に記載の基地局９２０。
［Ｃ４２］
前記メモリ９６２に記憶されたソフトウェア９６１をさらに備え、前記メモリ９６２は、
第１のデータ４２４および第２のデータ４２５を発生することと、
第１のトレーニング系列４０４および第２のトレーニング系列４０５を発生することと、
第１の合成データ４０８を生成するために前記第１のトレーニング系列４０４を前記第１のデータ４２４と合成することと、
第２の合成データ４０９を生成するために前記第２のトレーニング系列４０５を前記第２のデータ４２５と合成することと、
第１の送信信号４１３および第２の送信信号４１４を生成するために、同じキャリア周波数４１１および同じタイムスロット４１２を使用して、前記第１の合成データ４０８と前記第２の合成データ４０９の両方を変調し、送信することと、
１つの基地局１１４によって前記同じキャリア周波数４１１上の前記同じタイムスロット４１２で前記トレーニング系列４０４と前記トレーニング系列４０５の両方を使用することと
を備える、チャネルを共有する第１の信号および第２の信号を生成することを行うための命令を備える、Ｃ３０に記載の基地局９２０。
［Ｃ４３］
前記メモリ９６２に記憶されたソフトウェア９６１をさらに備え、前記ソフトウェア９６１は、
新しい接続をセットアップすることと、
既存の接続と共有すべき前記新しい接続のための使用済みのタイムスロット４１２を選択することと、
前記既存の接続のトレーニング系列４０４とは異なる、前記新しい接続のためのトレーニング系列符号を選択することと、
１つの基地局１１４によって前記同じキャリア周波数４１１上の前記同じタイムスロット４１２で前記トレーニング系列４０４と前記トレーニング系列４０５の両方を使用することと
を備える、シングルチャネル上で信号を共有することを行うための命令を備える、Ｃ３０に記載の基地局９２０。
［Ｃ４４］
前記少なくとも１つの増幅器１８１５が、
利得Ａ1がαのコサインを乗算される、第１の増幅器１８１６と、
利得Ａ1がαのサインを乗算される、第２の増幅器１８１７と、
利得Ａ2がα＋π／２のコサインを乗算される、第３の増幅器１８１８と、
利得Ａ2がα＋π／２のサインを乗算される、第４の増幅器１８１９と
を備える、Ｃ３８に記載の基地局９２０。
［Ｃ４５］
少なくとも１つの入力と少なくとも１つの出力とを有する前記少なくとも１つのベースバンド変調器１８０５が、Ｉ軸上のＢＰＳＫベースバンド変調器と、Ｑ軸上のＢＰＳＫベースバンド変調器とを備える、Ｃ４０に記載の基地局９２０。
［Ｃ４６］
前記フィルタが線形ガウスフィルタである、Ｃ４０に記載の基地局９２０。
［Ｃ４７］
前記フィルタが線形ガウスフィルタである、Ｃ４５に記載の基地局９２０。
［Ｃ４８］
発振器４３１と、前記発振器４３１に動作可能に接続され、入力と、位相シフトによって分離された第１および第２の出力とを有するスプリッタ１８１２と、各々が少なくとも１つの入力と少なくとも１つの出力とを有する複数の乗算器１８４０、１８４２、１８４４、１８４６とを備える、少なくとも１つのＲＦ変調器１８６２、１８６４をさらに備え、前記第１の乗算器１８４０の前記少なくとも１つの入力が、前記第１の増幅器１８１６の出力に動作可能に接続され、前記第２の乗算器１８４２の前記少なくとも１つの入力が、前記第２の増幅器１８１７の出力に動作可能に接続され、前記第３の乗算器１８４４の前記少なくとも１つの入力が、前記第３の増幅器１８１９の出力に動作可能に接続され、前記第４の乗算器１８４８の前記少なくとも１つの入力が、前記第４の増幅器１８１９の出力に動作可能に接続された、Ｃ４６に記載の基地局９２０。
［Ｃ４９］
発振器４３１と、前記発振器４３１に動作可能に接続され、入力と、位相シフトによって分離された第１および第２の出力とを有するスプリッタ１８１２と、各々が少なくとも１つの入力と少なくとも１つの出力とを有する複数の乗算器１８４０、１８４２、１８４４、１８４６とを備える、少なくとも１つのＲＦ変調器１８６２、１８６４をさらに備え、
第１の前記乗算器１８４０が、前記第１の増幅器１８１６に動作可能に接続された前記少なくとも１つの入力と、前記スプリッタ１８１２の−π／２出力とを有し、第１のコンバイナ１８２６の１つの入力に動作可能に接続された前記少なくとも１つの出力を有し、
第２の前記乗算器１８４２が、前記第２の増幅器１８１７に動作可能に接続された前記少なくとも１つの入力と、前記スプリッタ１８１２の０度出力とを有し、前記第１のコンバイナ１８２６の別の入力に動作可能に接続された前記少なくとも１つの出力を有し、
第３の前記乗算器１８４４が、前記第３の増幅器１８１８に動作可能に接続された前記少なくとも１つの入力と、前記スプリッタ１８１２の前記−π／２出力とを有し、第２の前記コンバイナ１８２７の１つの入力に動作可能に接続された前記少なくとも１つの出力を有し、
第４の前記乗算器１８４６が、前記第４の増幅器１８１９に動作可能に接続された前記少なくとも１つの入力と、前記スプリッタ１８１２の前記０度出力とを有し、前記第２のコンバイナ１８２７の前記別の入力に動作可能に接続された前記少なくとも１つの出力を有し、
第３のコンバイナ１８２８が、少なくとも１つの入力と少なくとも１つの出力とを有し、前記少なくとも１つの入力が、前記第１のコンバイナ１８２６と前記第２のコンバイナ１８２７との前記出力に動作可能に接続された、Ｃ４７に記載の基地局９２０。
［Ｃ５０］
前記少なくとも１つのコンバイナ１８２０が、少なくとも１つの入力と少なくとも１つの出力とを有する第１のコンバイナ１８２６を備え、前記少なくとも１つの入力が、前記第１の増幅器１８１６および前記第３の増幅器１８１８に動作可能に接続され、第２のコンバイナ１８２７が、少なくとも１つの入力と少なくとも１つの出力とを有し、前記少なくとも１つの入力が、前記第２の増幅器１８１７および前記第４の増幅器１８１９に動作可能に接続され、
２つの信号を合成するための前記装置が、
複数の入力と複数の出力とを有するＲＦ変調器１８６２と、
前記第１のコンバイナ１８２６の前記少なくとも１つの出力と、前記ＲＦ変調器１８６２の１つの入力との間に動作可能に接続された第１のデジタルアナログ変換器１８５０と、
前記第２のコンバイナ１８２７の前記少なくとも１つの出力と、前記ＲＦ変調器１８６２の別の入力との間に動作可能に接続された第２の前記デジタルアナログ変換器１８５２と、
少なくとも１つの入力と少なくとも１つの出力とを有する第３のコンバイナ１８２８であって、前記少なくとも１つの入力が、前記ＲＦ変調器１８６２の前記出力に動作可能に接続された、第３のコンバイナ１８２８と
をさらに備える、Ｃ４７に記載の基地局９２０。
［Ｃ５１］
前記ＲＦ変調器１８６２が、発振器４３１と、前記発振器４３１に動作可能に接続された入力と−π／２出力および０度出力とを有するスプリッタ１８１２と、複数の乗算器１８４１、１８４３とを備え、前記スプリッタ１８１２の前記−π／２出力が、前記第１の乗算器１８４１の１つの入力に動作可能に接続され、前記スプリッタ１８１２の前記０度出力が、前記第２の乗算器１８４３の別の入力に動作可能に接続された、Ｃ５０に記載の基地局９２０。
［Ｃ５２］
２つの信号を合成するための装置であって、
前記信号を変調するための手段と、
前記信号に利得を乗算するための手段と、
前記信号を位相シフトするための手段と、
前記信号を互いに加算するための手段と、
前記加算された信号を送信するための手段と
を備える、装置。
［Ｃ５３］
前記利得は、Ａ2がＡ1で除算された結果を備える振幅の比であり、Ａ1が前記第１の信号の前記振幅であり、Ａ2が前記第２の信号の前記振幅である、Ｃ５２に記載の装置。
［Ｃ５４］
位相シフトするための前記手段が、前記信号のうちの１つを、前記信号のあらゆるＩおよびＱに対してπ／２だけ位相シフトするための手段を備える、Ｃ５２に記載の装置。
［Ｃ５５］
前記信号をＩ軸およびＱ軸にマッピングするための手段と、
前記信号をフィルタ処理するための手段と
をさらに備える、Ｃ５２に記載の装置。
［Ｃ５６］
デシベルで表される前記比が、２０＊ｌｏｇ１０（Ａ2／Ａ1）であり、デシベルで表される前記比が８〜１０ｄＢであり得、前記第２の信号が非ＤＡＲＰ対応前記遠隔局１２３〜１２７へのものであり、前記第１の信号がＤＡＲＰ対応遠隔局１２３〜１２７へのものである、Ｃ５３に記載の装置。
［Ｃ５７］
２つの信号がＱＰＳＫコンスタレーションのＩ軸およびＱ軸にマッピングされ、あらゆるシンボルに対するπ／２の漸進的な位相回転が行われる、Ｃ５５に記載の装置。
［Ｃ５８］
前記利得は、Ａ2がＡ1で除算された結果を備える振幅の比であり、Ａ1が、αのコサインに等しい前記Ｉ信号の前記振幅であり、Ａ2が、αのサインに等しい前記Ｑ信号の前記振幅である、Ｃ５５に記載の装置。
［Ｃ５９］
新しい接続をセットアップするための手段と、
既存の接続と共有すべき前記新しい接続のためのチャネル周波数４１１上の使用済みのタイムスロット４１２を選択するための手段と、
前記既存の接続のトレーニング系列４０４とは異なる、前記新しい接続のためのトレーニング系列４０５を選択するための手段と、
１つの基地局１１４によって前記同じチャネル周波数４１１上の前記同じタイムスロット４１２で前記トレーニング系列４０４と前記トレーニング系列４０５の両方を使用するための手段と
を備える、シングルチャネル上で信号を共有するための手段をさらに備える、Ｃ５５に記載の装置。
［Ｃ６０］
第１のデータ４２４および第２のデータ４２５を発生するための手段と、
第１のトレーニング系列４０４および第２のトレーニング系列４０５を発生するための手段と、
第１の合成データ４０８を生成するために前記第１のトレーニング系列４０４を前記第１のデータ４２４と合成することと、第２の合成データ４０９を生成するために前記第２のトレーニング系列４０５を前記第２のデータ４２５と合成することとを行うための手段と、
第１の送信信号４１３および第２の送信信号４１４を生成するために、同じチャネル周波数４１１および同じタイムスロット４１２を使用して、前記第１の合成データ４０８と前記第２のデータ合成データ４０９の両方を変調し、送信するための手段と、
１つの基地局１１４によって前記同じチャネル周波数４１１上の前記同じタイムスロット４１２で前記トレーニング系列４０４と前記トレーニング系列４０５の両方を使用するための手段と
を備える、チャネルを共有する第１の信号および第２の信号を生成するための手段をさらに備える、Ｃ５５に記載の装置。
［Ｃ６１］
前記加算された信号をフィルタ処理するための前記手段が、ＧＳＭ（登録商標）スペクトルマスク基準を満たすために、ＥＧＰＲＳ  ８ＰＳＫ変調のために使用される線形ガウス前記フィルタを用いて、前記加算された信号をフィルタ処理することを備える、Ｃ５６に記載の装置。
［Ｃ６２］
コンピュータに２つの信号を合成させるためのコードであって、
前記信号を変調することと、
前記信号に利得を乗算することと、
前記信号を位相シフトすることと、
前記信号を互いに加算することと、
前記加算された信号を送信することと
を行うための命令を備える、コードを備えるコンピュータ可読媒体を備える、コンピュータプログラム製品。
［Ｃ６３］
前記利得は、Ａ2がＡ1で除算された結果を備える振幅の比であり、Ａ1が前記第１の信号の前記振幅であり、Ａ2が前記第２の信号の前記振幅である、Ｃ６２に記載のコンピュータプログラム製品。
［Ｃ６４］
位相シフトするための前記命令が、前記信号のうちの１つを、前記信号のあらゆるＩおよびＱに対してπ／２だけ位相シフトするための手段を備える、Ｃ６２に記載のコンピュータプログラム製品。
［Ｃ６５］
前記信号をＩ軸およびＱ軸にマッピングするための命令と、
前記信号をフィルタ処理するための命令と
をさらに備える、Ｃ６２に記載のコンピュータプログラム製品。
［Ｃ６６］
デシベルで表される前記比が、２０＊ｌｏｇ１０（Ａ2／Ａ1）であり、デシベルで表される前記比が８〜１０ｄＢであり得、前記第２の信号が非ＤＡＲＰ対応前記遠隔局１２３〜１２７へのものであり、前記第１の信号がＤＡＲＰ対応遠隔局１２３〜１２７へのものである、Ｃ６３に記載のコンピュータプログラム製品。
［Ｃ６７］
２つの信号がＱＰＳＫコンスタレーションのＩ軸およびＱ軸にマッピングされ、あらゆるシンボルに対するπ／２の漸進的な位相回転が行われる、Ｃ６５に記載のコンピュータプログラム製品。
［Ｃ６８］
前記利得は、Ａ2がＡ1で除算された結果を備える振幅の比であり、Ａ1が、αのコサインに等しい前記Ｉ信号の前記振幅であり、Ａ2が、αのサインに等しい前記Ｑ信号の前記振幅である、Ｃ６５に記載のコンピュータプログラム製品。
［Ｃ６９］
新しい接続をセットアップすることと、
既存の接続と共有すべき前記新しい接続のためのチャネル周波数４１１上の使用済みのタイムスロット４１２を選択することと、
前記既存の接続のトレーニング系列４０４とは異なる、前記新しい接続のためのトレーニング系列４０５を選択することと、
１つの基地局１１４によって前記同じチャネル周波数４１１上の前記同じタイムスロット４１２で前記トレーニング系列４０４と前記トレーニング系列４０５の両方を使用することと
を備える、シングルチャネル上で信号を共有することを行うための命令をさらに備える、Ｃ６５に記載のコンピュータプログラム製品。
［Ｃ７０］
第１のデータ４２４および第２のデータ４２５を発生することと、
第１のトレーニング系列４０４および第２のトレーニング系列４０５を発生することと、
第１の合成データ４０８を生成するために前記第１のトレーニング系列４０４を前記第１のデータ４２４と合成することと、第２の合成データ４０９を生成するために前記第２のトレーニング系列４０５を前記第２のデータ４２５と合成することと、
第１の送信信号４１３および第２の送信信号４１４を生成するために、同じチャネル周波数４１１および同じタイムスロット４１２を使用して、前記第１の合成データ４０８と前記第２のデータ合成データ４０９の両方を変調し、送信することと、
１つの基地局１１４によって前記同じチャネル周波数４１１上の前記同じタイムスロット４１２で前記トレーニング系列４０４と前記トレーニング系列４０５の両方を使用することと
を備える、チャネルを共有する第１の信号および第２の信号を生成することを行うための命令をさらに備える、Ｃ６５に記載のコンピュータプログラム製品。
［Ｃ７１］
前記加算された信号をフィルタ処理するための前記命令が、ＧＳＭ（登録商標）スペクトルマスク基準を満たすために、ＥＧＰＲＳ  ８ＰＳＫ変調のために使用される線形ガウス前記フィルタを用いて、前記加算された信号をフィルタ処理することを備える、Ｃ６６に記載の装置。
【図１】
0005394491.tif 000007
【図２】
0005394491.tif 000008
【図３】
0005394491.tif 000009
【図４】
0005394491.tif 000010
【図５】
0005394491.tif 000011
【図６】
0005394491.tif 000012
【図７】
0005394491.tif 000013
【図８Ａ】
0005394491.tif 000014
【図８Ｂ】
0005394491.tif 000015
【図９】
0005394491.tif 000016
【図１０Ａ】
0005394491.tif 000017
【図１０Ｂ】
0005394491.tif 000018
【図１１】
0005394491.tif 000019
【図１２】
0005394491.tif 000020
【図１３】
0005394491.tif 000021
【図１４】
0005394491.tif 000022
【図１５】
0005394491.tif 000023
【図１６】
0005394491.tif 000024
【図１７】
0005394491.tif 000025
【図１８】
0005394491.tif 000026
【図１９】
0005394491.tif 000027
【図２０】
0005394491.tif 000028
【図２１Ａ】
0005394491.tif 000029
【図２１Ｂ】
0005394491.tif 000030
【図２１Ｃ】
0005394491.tif 000031
【図２２】
0005394491.tif 000032
【図２３】
0005394491.tif 000033